(57)【特許請求の範囲】
【請求項１】
ダウンリンク制御情報検出方法であって、
ユーザー端末（ＵＥ）が、プリセット間隔に従ってダウンリンク制御情報をベアリングする強化された物理ダウンリンク制御チャネル（ｅＰＤＣＣＨ）のユーザー端末（ＵＥ）専有探索空間を決定し、ここで、前記プリセット間隔は、対応するリソース集内における対応する集約レベルでの一つのコンポーネントキャリアの候補位置個数に従って決定され、又は、前記プリセット間隔は、対応するリソース集内における対応する集約レベルでの一つのコンポーネントキャリアの候補位置個数、及びスケジュールされたコンポーネントキャリア数量に従って決定され、又は、前記プリセット間隔は、対応するリソース集内における対応する集約レベルでの一つのコンポーネントキャリアの候補位置個数、及び配置されているコンポーネントキャリア数量に従って決定され、又は、前記プリセット間隔は、コンポーネントキャリアインデックス及び／又は候補集インデックスに従って決定されることと、
ユーザー端末（ＵＥ）が、前記ＵＥ専有探索空間に対応する物理リソースで、前記ダウンリンク制御情報を検出することと、を含み、
クロスキャリアスケジューリングの時に、前記ＵＥ専有探索空間が以下方式を採用して生成され、
L{(Yk+nCI+└(m×NeCCE)/(L×Mset(L))┘) mod └NeCCE/L┘}+i又は
L{(Yk+└((nCI×Mset(L)+m)×NeCCE)/(L×Mset(L)×NCCNum)┘) mod └NeCCE/L┘}+i又は
L{(Yk+└((nCI+m×NCCNum)×NeCCE)/(L×Mset(L)×NCCNum)┘) mod └NeCCE/L┘}+i又は
{(Yk+└((nCI×Mset(L)+m+G)×NeCCE)/(L×Z×NCCNum)┘) mod └NeCCE/L┘}+i
であり、Ｘ＝（Ｍｓｅｔ（Ｌ）＋１）  ｍｏｄ  ２であり、Ｚ＝Ｍｓｅｔ（Ｌ）＋Ｘであり、Ｇは０又はＸであり、
又は、
{(Yk+nCI+└((m+G)×NeCCE)/(L×Z)┘) mod └NeCCE/L┘}+i
であり、Ｘ＝（Ｍｓｅｔ（Ｌ）＋１）  ｍｏｄ  ２であって、Ｚ＝Ｍｓｅｔ（Ｌ）＋Ｘであり、Ｇは０又はＸであり、
又は、
{NeCCERB×(└A/NeCCERB/┘+nCI)+L×(Yk+m+nCI) mod └NeCCERB/L┘}+i
A=L{(Yk+└(m×NeCCE)/(L×Mset(L))┘) mod └NeCCE/L┘}
であり、
又は、クロスキャリアスケジューリング時に前記ＵＥ専有探索空間の生成方式が非クロスキャリアスケジューリング時に前記ＵＥ専有探索空間生成方式と同じであって、且つ、前記目標コンポーネントキャリアでスケジュールされたすべてのコンポーネントキャリアのＵＥ専有探索空間に対応するリソース集は異なるシグナルにより配置され、
ここで、ＹｋはＵＥ専有探索空間の初期候補位置を表示し、ｎＣＩはコンポーネントキャリアインデックスを表示し、ＮｅＣＣＥは一つのリソース集における強化された制御チャネルエレメント（ｅＣＣＥ）総数を表示し、Ｌは集約レベルを表示し、Ｍｓｅｔ（Ｌ）は対応するリソース集内における対応する集約レベルでの一つのコンポーネントキャリアの候補位置個数を表示し、ｉ＝０，．．．，Ｌ−１であり、Ｚ＝Ｍｓｅｔ（Ｌ）＋Ｘであり、ＮｅＣＣＥＲＢは一つのリソースブロックに含まれるｅＣＣＥ数量を表示し、ＮＣＣＮｕｍは目標コンポーネントキャリアでスケジュールされたコンポーネントキャリア数量又は配置されているコンポーネントキャリア数量を表示し、ｍは候補集インデックスを表示する、ダウンリンク制御情報検出方法。
【請求項２】
前記プリセット間隔は、
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じである条件、
クロスキャリアスケジューリングシーンにおける前記目標コンポーネントキャリアのプリセット間隔が、クロスキャリアスケジューリングシーンにおけるにおける前記目標コンポーネントキャリアでスケジュールされたコンポーネントキャリアのプリセット間隔と同じである条件、及び、
クロスキャリアスケジューリングシーンにおける前記目標コンポーネントキャリアでスケジュールされたコンポーネントキャリアの前記プリセット間隔が、対応するリソース集内における対応する集約レベルでのＮ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの一つのコンポーネントキャリアの候補位置個数に従って決定され、ここで、Ｎは自然数である条件のうちの少なくとも一つを満たすことを特徴とする
請求項１に記載のダウンリンク制御情報検出方法。
【請求項３】
ダウンリンク制御情報検出方法であって、
ユーザー端末（ＵＥ）が、プリセット間隔に従ってダウンリンク制御情報をベアリングする強化された物理ダウンリンク制御チャネル（ｅＰＤＣＣＨ）のユーザー端末（ＵＥ）専有探索空間を決定し、ここで、前記プリセット間隔は、対応するリソース集内における対応する集約レベルでの一つのコンポーネントキャリアの候補位置個数に従って決定され、又は、前記プリセット間隔は、対応するリソース集内における対応する集約レベルでの一つのコンポーネントキャリアの候補位置個数、及びスケジュールされたコンポーネントキャリア数量に従って決定され、又は、前記プリセット間隔は、対応するリソース集内における対応する集約レベルでの一つのコンポーネントキャリアの候補位置個数、及び配置されているコンポーネントキャリア数量に従って決定されることと、
ユーザー端末（ＵＥ）が、前記ＵＥ専有探索空間に対応する物理リソースで、前記ダウンリンク制御情報を検出することと、
ユーザー端末（ＵＥ）が、時分割複信（ＴＤＤ）システムにおいて、プリセット情報に従って前記ｅＰＤＣＣＨスケジューリングの物理ダウンリンク共有チャネル（ＰＤＳＣＨ）に対応する物理アップリンク制御チャネル（ＰＵＣＣＨ）リソース時の確認情報／非確認情報のリソースオフセット量（ＡＲＯ）範囲を決定することとを含み、前記プリセット情報は、
サブフレームインデックス、及び前記ＰＵＣＣＨの所属するアップリンクサブフレームに対応するダウンリンクサブフレーム数量のうちの少なくとも一つを含むことを特徴とするダウンリンク制御情報検出方法。
【請求項４】
前記ＡＲＯ範囲はｎ個の集合に対応し、ｎは２、３、４、５、６、７、８又は９であることを特徴とする
請求項３に記載のダウンリンク制御情報検出方法。
【請求項５】
ユーザー端末（ＵＥ）が、前記ｅＰＤＣＣＨの所属するダウンリンクサブフレームインデックスｋが、前記ＰＵＣＣＨの所属するアップリンクサブフレームに対応するダウンリンクサブフレームウィンドウに位置している位置ｈに従って、ＡＲＯ値を決定することをさらに含み、ｈは０から採番し、具体的に、
ｈは０であると、ＡＲＯは｛２，−１，０，−２｝であり、
ｈは１であると、ＡＲＯは｛２，０，−１，−ＮｅＣＣＥ（ｋ−１，ｊ）｝又は｛２，０，−２，−ＮｅＣＣＥ（ｋ−１，ｊ）｝であり、
ｈは２であると、ＡＲＯは｛２，０，−ＮｅＣＣＥ（ｋ−２，ｊ）−ＮｅＣＣＥ（ｋ−１，ｊ），−ＮｅＣＣＥ（ｋ−１，ｊ）｝であり、
ｈは３であると、ＡＲＯは｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、
最初のサブプレームに対応するＡＲＯは｛−２，２，−１，０｝であり、
最後の一つのサブフレームに対応するＡＲＯは｛２，０，−ＮｅＣＣＥ（ｋ−１，ｊ），−ＮｅＣＣＥ（ｋ−２，ｊ）−ＮｅＣＣＥ（ｋ−１，ｊ）｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），−ＮｅＣＣＥ（ｋ−１，ｊ）−ＮｅＣＣＥ（ｋ，ｊ）｝であること、
又は、
ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１は−１であり、Ｔ２は−１であり、Ｔ３は−１であり、Ｔ４は−２であり、Ｄ１はΣk=h-T5h-1NeCCE(k,j)であり、Ｄ２はΣk=h-T6h-1NeCCE(k,j)であり、Ｔ５、Ｔ６は整数であり、
ここで、ｋはサブフレームインデックスを表示し、ｊはリソース集インデックスを表示することを含むことを特徴とする
請求項３に記載のダウンリンク制御情報検出方法。
【請求項６】
ダウンリンク制御情報送信方法であって、
ダウンリンク制御情報をベアリングする強化された物理ダウンリンク制御チャネル（ｅＰＤＣＣＨ）のユーザー端末（ＵＥ）専有探索空間がプリセット間隔に従って生成されることと、
基地局が、前記ＵＥ専有探索空間に対応する物理リソースでＵＥへ前記ダウンリンク制御情報を送信し、
ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、又は、前記プリセット間隔が、コンポーネントキャリアインデックス及び／又は候補集インデックスに従って決定されることと、を含み、
クロスキャリアスケジューリングの時に、前記ＵＥ専有探索空間が以下方式を採用して生成され、
L{(Yk+nCI+└(m×NeCCE)/(L×Mset(L))┘) mod └NeCCE/L┘}+i又は
L{(Yk+└((nCI×Mset(L)+m)×NeCCE)/(L×Mset(L)×NCCNum)┘) mod └NeCCE/L┘}+i又は
L{(Yk+└((nCI+m×NCCNum)×NeCCE)/(L×Mset(L)×NCCNum)┘) mod └NeCCE/L┘}+i又は
{(Yk+└((nCI×Mset(L)+m+G)×NeCCE)/(L×Z×NCCNum)┘) mod └NeCCE/L┘}+i
であり、Ｘ＝（Ｍｓｅｔ（Ｌ）＋１）  ｍｏｄ  ２であり、Ｚ＝Ｍｓｅｔ（Ｌ）＋Ｘであり、Ｇは０又はＸであり、
又は、
{(Yk+nCI+└((m+G)×NeCCE)/(L×Z)┘) mod └NeCCE/L┘}+i
であり、Ｘ＝（Ｍｓｅｔ（Ｌ）＋１）  ｍｏｄ  ２であって、Ｚ＝Ｍｓｅｔ（Ｌ）＋Ｘであり、Ｇは０又はＸであり、
又は、
{NeCCERB×(└A/NeCCERB/┘+nCI)+L×(Yk+m+nCI) mod └NeCCERB/L┘}+i
A=L{(Yk+└(m×NeCCE)/(L×Mset(L))┘) mod └NeCCE/L┘}
であり、
又は、クロスキャリアスケジューリング時に前記ＵＥ専有探索空間の生成方式が非クロスキャリアスケジューリング時に前記ＵＥ専有探索空間生成方式と同じであって、且つ、前記目標コンポーネントキャリアでスケジュールされたすべてのコンポーネントキャリアのＵＥ専有探索空間に対応するリソース集は異なるシグナルにより配置され、
ここで、ＹｋはＵＥ専有探索空間の初期候補位置を表示し、ｎＣＩはコンポーネントキャリアインデックスを表示し、ＮｅＣＣＥは一つのリソース集における強化された制御チャネルエレメント（ｅＣＣＥ）総数を表示し、Ｌは集約レベルを表示し、Ｍｓｅｔ（Ｌ）は対応するリソース集内における対応する集約レベルでの一つのコンポーネントキャリアの候補位置個数を表示し、ｉ＝０，．．．，Ｌ−１であり、Ｚ＝Ｍｓｅｔ（Ｌ）＋Ｘであり、ＮｅＣＣＥＲＢは一つのリソースブロックに含まれるｅＣＣＥ数量を表示し、ＮＣＣＮｕｍは目標コンポーネントキャリアでスケジュールされたコンポーネントキャリア数量又は配置されているコンポーネントキャリア数量を表示し、ｍは候補集インデックスを表示する、ダウンリンク制御情報送信方法。
【請求項７】
前記プリセット間隔は、
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じである条件、
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じである条件、及び、
クロスキャリアスケジューリングシーンにおける前記目標コンポーネントキャリアでスケジュールされたコンポーネントキャリアの前記プリセット間隔が、対応するリソース集内における対応する集約レベルでのＮ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの一つのコンポーネントキャリアの候補位置個数に従って決定され、ここで、Ｎは自然数である条件のうちの少なくとも一つを満たすことを特徴とする
請求項６に記載のダウンリンク制御情報送信方法。
【請求項８】
ダウンリンク制御情報送信方法であって、
ダウンリンク制御情報をベアリングする強化された物理ダウンリンク制御チャネル（ｅＰＤＣＣＨ）のユーザー端末（ＵＥ）専有探索空間がプリセット間隔に従って生成されることと、
基地局が、前記ＵＥ専有探索空間に対応する物理リソースでＵＥへ前記ダウンリンク制御情報を送信し、
ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定されることと、
基地局が、時分割複信（ＴＤＤ）システムにおいて、プリセット情報に従って前記ｅＰＤＣＣＨスケジューリングの物理ダウンリンク共有チャネル（ＰＤＳＣＨ）に対応する物理アップリンク制御チャネル（ＰＵＣＣＨ）リソース時の確認情報／非確認情報のリソースオフセット量（ＡＲＯ）範囲を決定することを含み、前記プリセット情報は、
サブフレームインデックス、及び前記ＰＵＣＣＨの所属するアップリンクサブフレームに対応するダウンリンクサブフレーム数量のうちの少なくとも一つを含むことを特徴とするダウンリンク制御情報送信方法。
【請求項９】
基地局が、前記ｅＰＤＣＣＨの所属するダウンリンクサブフレームインデックスｋが、前記ＰＵＣＣＨの所属するアップリンクサブフレームに対応するダウンリンクサブフレームウィンドウに位置している位置ｈに従って、ＡＲＯ値を決定することをさらに含み、ｈは０から採番し、具体的に、
ｈは０であると、ＡＲＯは｛２，−１，０，−２｝であり、
ｈは１であると、ＡＲＯは｛２，０，−１，−ＮｅＣＣＥ（ｋ−１，ｊ）｝又は｛２，０，−２，−ＮｅＣＣＥ（ｋ−１，ｊ）｝であり、
ｈは２であると、ＡＲＯは｛２，０，−ＮｅＣＣＥ（ｋ−２，ｊ）−ＮｅＣＣＥ（ｋ−１，ｊ），−ＮｅＣＣＥ（ｋ−１，ｊ）｝であり、
ｈは３であると、ＡＲＯは｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、
最初のサブプレームに対応するＡＲＯは｛−２，２，−１，０｝であり、
最後の一つのサブフレームに対応するＡＲＯは｛２，０，−ＮｅＣＣＥ（ｋ−１，ｊ），−ＮｅＣＣＥ（ｋ−２，ｊ）−ＮｅＣＣＥ（ｋ−１，ｊ）｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），−ＮｅＣＣＥ（ｋ−１，ｊ）−ＮｅＣＣＥ（ｋ，ｊ）｝であること、
又は、
ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１は−１であり、Ｔ２は−１であり、Ｔ３は−１であり、Ｔ４は−２であり、Ｄ１はΣk=h-T5h-1NeCCE(k,j)であり、Ｄ２はΣk=h-T6h-1NeCCE(k,j)であり、Ｔ５、Ｔ６は整数であること、
ここで、ｋはサブフレームインデックスを表示し、ｊはリソース集インデックスを表示することを含むことを特徴とする
請求項８に記載のダウンリンク制御情報送信方法。
【請求項１０】
受信端であって、探索空間決定モジュールと情報検出モジュールを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、又は、前記プリセット間隔が、コンポーネントキャリアインデックス及び／又は候補集インデックスに従って決定され、
前記情報検出モジュールは、前記探索空間に対応する物理リソースで前記ダウンリンク制御情報を検出するように構成され、
クロスキャリアスケジューリングの時に、前記ＵＥ専有探索空間が以下方式を採用して生成され、
L{(Yk+nCI+└(m×NeCCE)/(L×Mset(L))┘) mod └NeCCE/L┘}+i又は
L{(Yk+└((nCI×Mset(L)+m)×NeCCE)/(L×Mset(L)×NCCNum)┘) mod └NeCCE/L┘}+i又は
L{(Yk+└((nCI+m×NCCNum)×NeCCE)/(L×Mset(L)×NCCNum)┘) mod └NeCCE/L┘}+i又は
{(Yk+└((nCI×Mset(L)+m+G)×NeCCE)/(L×Z×NCCNum)┘) mod └NeCCE/L┘}+i
であり、Ｘ＝（Ｍｓｅｔ（Ｌ）＋１）  ｍｏｄ  ２であり、Ｚ＝Ｍｓｅｔ（Ｌ）＋Ｘであり、Ｇは０又はＸであり、
又は、
{(Yk+nCI+└((m+G)×NeCCE)/(L×Z)┘) mod └NeCCE/L┘}+i
であり、Ｘ＝（Ｍｓｅｔ（Ｌ）＋１）  ｍｏｄ  ２であって、Ｚ＝Ｍｓｅｔ（Ｌ）＋Ｘであり、Ｇは０又はＸであり、
又は、
{NeCCERB×(└A/NeCCERB/┘+nCI)+L×(Yk+m+nCI) mod └NeCCERB/L┘}+i
A=L{(Yk+└(m×NeCCE)/(L×Mset(L))┘) mod └NeCCE/L┘}
であり、
又は、クロスキャリアスケジューリング時に前記ＵＥ専有探索空間の生成方式が非クロスキャリアスケジューリング時に前記ＵＥ専有探索空間生成方式と同じであって、且つ、前記目標コンポーネントキャリアでスケジュールされたすべてのコンポーネントキャリアのＵＥ専有探索空間に対応するリソース集は異なるシグナルにより配置され、
ここで、ＹｋはＵＥ専有探索空間の初期候補位置を表示し、ｎＣＩはコンポーネントキャリアインデックスを表示し、ＮｅＣＣＥは一つのリソース集における強化された制御チャネルエレメント（ｅＣＣＥ）総数を表示し、Ｌは集約レベルを表示し、Ｍｓｅｔ（Ｌ）は対応するリソース集内における対応する集約レベルでの一つのコンポーネントキャリアの候補位置個数を表示し、ｉ＝０，．．．，Ｌ−１であり、Ｚ＝Ｍｓｅｔ（Ｌ）＋Ｘであり、ＮｅＣＣＥＲＢは一つのリソースブロックに含まれるｅＣＣＥ数量を表示し、ＮＣＣＮｕｍは目標コンポーネントキャリアでスケジュールされたコンポーネントキャリア数量又は配置されているコンポーネントキャリア数量を表示し、ｍは候補集インデックスを表示する、受信端。
【請求項１１】
前記プリセット間隔は、
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じである条件、
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じである条件、及び、
クロスキャリアスケジューリングシーンにおける前記目標コンポーネントキャリアでスケジュールされたコンポーネントキャリアの前記プリセット間隔が、対応するリソース集内における対応する集約レベルでのＮ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの一つのコンポーネントキャリアの候補位置個数に従って決定され、ここでＮは自然数である条件のうちの少なくとも一つを満たすことを特徴とする
請求項１０に記載の受信端。
【請求項１２】
受信端であって、探索空間決定モジュールと情報検出モジュールと確認情報／非確認情報リソースオフセット量（ＡＲＯ）決定モジュールとを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、
前記情報検出モジュールは、前記探索空間に対応する物理リソースで前記ダウンリンク制御情報を検出するように構成され、
前記ＡＲＯ決定モジュールは、時分割複信（ＴＤＤ）システムにおいて、プリセット情報に従って前記ｅＰＤＣＣＨスケジューリングの物理ダウンリンク共有チャネル（ＰＤＳＣＨ）に対応する物理アップリンク制御チャネル（ＰＵＣＣＨ）リソース時のＡＲＯ範囲を決定するように構成され、前記プリセット情報は、
サブフレームインデックス、及び前記ＰＵＣＣＨの所属するアップリンクサブフレームに対応するダウンリンクサブフレーム数量のうちの少なくとも一つを含むことを特徴とする受信端。
【請求項１３】
前記ＡＲＯ範囲はｎ個の集合に対応し、ｎは２、３、４、５、６、７、８又は９であることを特徴とする
請求項１２に記載の受信端。
【請求項１４】
前記ＡＲＯ決定モジュールは、前記ｅＰＤＣＣＨの所属するダウンリンクサブフレームインデックスｋが、前記ＰＵＣＣＨの所属するアップリンクサブフレームに対応するダウンリンクサブフレームウィンドウに位置している位置ｈに従って、ＡＲＯ値を決定するようにされに構成され、ｈは０から採番し、具体的に、
ｈは０であると、ＡＲＯは｛２，−１，０，−２｝であり、
ｈは１であると、ＡＲＯは｛２，０，−１，−ＮｅＣＣＥ（ｋ−１，ｊ）｝又は｛２，０，−２，−ＮｅＣＣＥ（ｋ−１，ｊ）｝であり、
ｈは２であると、ＡＲＯは｛２，０，−ＮｅＣＣＥ（ｋ−２，ｊ）−ＮｅＣＣＥ（ｋ−１，ｊ），−ＮｅＣＣＥ（ｋ−１，ｊ）｝であり、
ｈは３であると、ＡＲＯは｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、
最初のサブプレームに対応するＡＲＯは｛−２，２，−１，０｝であり、
最後の一つのサブフレームに対応するＡＲＯは｛２，０，−ＮｅＣＣＥ（ｋ−１，ｊ），−ＮｅＣＣＥ（ｋ−２，ｊ）−ＮｅＣＣＥ（ｋ−１，ｊ）｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），−ＮｅＣＣＥ（ｋ−１，ｊ）−ＮｅＣＣＥ（ｋ，ｊ）｝であること、
又は、
ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１は−１であり、Ｔ２は−１であり、Ｔ３は−１であり、Ｔ４は−２であり、Ｄ１はΣk=h-T5h-1NeCCE(k,j)であり、Ｄ２はΣk=h-T6h-1NeCCE(k,j)であり、Ｔ５、Ｔ６は整数であり、
ここで、ｋはサブフレームインデックスを表示し、ｊはリソース集インデックスを表示することを含むことを特徴とする
請求項１２に記載の受信端。
【請求項１５】
送信端であって、探索空間決定モジュールと情報送信モジュールを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、又は、前記プリセット間隔が、コンポーネントキャリアインデックス及び／又は候補集インデックスに従って決定され、
前記情報送信モジュールは、前記ｅＰＤＣＣＨのＵＥ専有探索空間に対応する物理リソースで前記ＵＥに前記ダウンリンク制御情報を送信するように構成され、
クロスキャリアスケジューリングの時に、前記ＵＥ専有探索空間が以下方式を採用して生成され、
L{(Yk+nCI+└(m×NeCCE)/(L×Mset(L))┘) mod └NeCCE/L┘}+i又は
L{(Yk+└((nCI×Mset(L)+m)×NeCCE)/(L×Mset(L)×NCCNum)┘) mod └NeCCE/L┘}+i又は
L{(Yk+└((nCI+m×NCCNum)×NeCCE)/(L×Mset(L)×NCCNum)┘) mod └NeCCE/L┘}+i又は
{(Yk+└((nCI×Mset(L)+m+G)×NeCCE)/(L×Z×NCCNum)┘) mod └NeCCE/L┘}+i
であり、Ｘ＝（Ｍｓｅｔ（Ｌ）＋１）  ｍｏｄ  ２であり、Ｚ＝Ｍｓｅｔ（Ｌ）＋Ｘであり、Ｇは０又はＸであり、
又は、
{(Yk+nCI+└((m+G)×NeCCE)/(L×Z)┘) mod └NeCCE/L┘}+i
であり、Ｘ＝（Ｍｓｅｔ（Ｌ）＋１）  ｍｏｄ  ２であって、Ｚ＝Ｍｓｅｔ（Ｌ）＋Ｘであり、Ｇは０又はＸであり、
又は、
{NeCCERB×(└A/NeCCERB/┘+nCI)+L×(Yk+m+nCI) mod └NeCCERB/L┘}+i
A=L{(Yk+└(m×NeCCE)/(L×Mset(L))┘) mod └NeCCE/L┘}
であり、
又は、クロスキャリアスケジューリング時に前記ＵＥ専有探索空間の生成方式が非クロスキャリアスケジューリング時に前記ＵＥ専有探索空間生成方式と同じであって、且つ、前記目標コンポーネントキャリアでスケジュールされたすべてのコンポーネントキャリアのＵＥ専有探索空間に対応するリソース集は異なるシグナルにより配置され、
ここで、ＹｋはＵＥ専有探索空間の初期候補位置を表示し、ｎＣＩはコンポーネントキャリアインデックスを表示し、ＮｅＣＣＥは一つのリソース集における強化された制御チャネルエレメント（ｅＣＣＥ）総数を表示し、Ｌは集約レベルを表示し、Ｍｓｅｔ（Ｌ）は対応するリソース集内における対応する集約レベルでの一つのコンポーネントキャリアの候補位置個数を表示し、ｉ＝０，．．．，Ｌ−１であり、Ｚ＝Ｍｓｅｔ（Ｌ）＋Ｘであり、ＮｅＣＣＥＲＢは一つのリソースブロックに含まれるｅＣＣＥ数量を表示し、ＮＣＣＮｕｍは目標コンポーネントキャリアでスケジュールされたコンポーネントキャリア数量又は配置されているコンポーネントキャリア数量を表示し、ｍは候補集インデックスを表示する、送信端。
【請求項１６】
前記プリセット間隔は、
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じである条件、
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じである条件、及び、
クロスキャリアスケジューリングシーンにおける前記目標コンポーネントキャリアでスケジュールされたコンポーネントキャリアの前記プリセット間隔が、対応するリソース集内における対応する集約レベルでのＮ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの一つのコンポーネントキャリアの候補位置個数に従って決定され、ここでＮは自然数である条件のうちの少なくとも一つを満たすことを特徴とする
請求項１５に記載の送信端。
【請求項１７】
送信端であって、探索空間決定モジュールと情報送信モジュールと確認情報／非確認情報リソースオフセット量（ＡＲＯ）決定モジュールとを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、
前記情報送信モジュールは、前記ｅＰＤＣＣＨのＵＥ専有探索空間に対応する物理リソースで前記ＵＥに前記ダウンリンク制御情報を送信するように構成され、
前記ＡＲＯ決定モジュールは、時分割複信（ＴＤＤ）システムにおいて、プリセット情報に従って前記ｅＰＤＣＣＨスケジューリングの物理ダウンリンク共有チャネル（ＰＤＳＣＨ）に対応する物理アップリンク制御チャネル（ＰＵＣＣＨ）リソース時のＡＲＯ範囲を決定されるように構成され、前記プリセット情報は、
サブフレームインデックス、及び前記ＰＵＣＣＨの所属するアップリンクサブフレームに対応するダウンリンクサブフレーム数量のうちの少なくとも一つを含むことを特徴とする送信端。
【請求項１８】
前記ＡＲＯ決定モジュールは、前記ｅＰＤＣＣＨの所属するダウンリンクサブフレームインデックスｋが、前記ＰＵＣＣＨの所属するアップリンクサブフレームに対応するダウンリンクサブフレームウィンドウに位置している位置ｈに従って、ＡＲＯ値を決定するようにされに構成され、ｈは０から採番し、具体的に、
ｈは０であると、ＡＲＯは｛２，−１，０，−２｝であり、
ｈは１であると、ＡＲＯは｛２，０，−１，−ＮｅＣＣＥ（ｋ−１，ｊ）｝又は｛２，０，−２，−ＮｅＣＣＥ（ｋ−１，ｊ）｝であり、
ｈは２であると、ＡＲＯは｛２，０，−ＮｅＣＣＥ（ｋ−２，ｊ）−ＮｅＣＣＥ（ｋ−１，ｊ），−ＮｅＣＣＥ（ｋ−１，ｊ）｝であり、
ｈは３であると、ＡＲＯは｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、
最初のサブプレームに対応するＡＲＯは｛−２，２，−１，０｝であり、
最後の一つのサブフレームに対応するＡＲＯは｛２，０，−ＮｅＣＣＥ（ｋ−１，ｊ），−ＮｅＣＣＥ（ｋ−２，ｊ）−ＮｅＣＣＥ（ｋ−１，ｊ）｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であり、
他のサブフレームに対応するＡＲＯは｛２，０，−ＮｅＣＣＥ（ｋ−１，ｊ），−ＮｅＣＣＥ（ｋ−１，ｊ）−ＮｅＣＣＥ（ｋ，ｊ）｝であること、
又は、
ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１、Ｔ２は実数であり、Ｔ３、Ｔ４は整数であり、Ｄ１はΣk=h-T5h-1NeCCE(k,j)又は第一事前設定値であり、Ｄ２はΣk=h-T6h-1NeCCE(k,j)又は第二事前設定値であり、Ｔ５、Ｔ６は整数であること、
又は、
ｈは０であると、ＡＲＯは｛２，−１，０，−２｝であり、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であり、ここで、Ｔ１は−１であり、Ｔ２は−１であり、Ｔ３は−１であり、Ｔ４は−２であり、Ｄ１はΣk=h-T5h-1NeCCE(k,j)であり、Ｄ２はΣk=h-T6h-1NeCCE(k,j)であり、Ｔ５、Ｔ６は整数であり、
ここで、ｋはサブフレームインデックスを表示し、ｊはリソース集インデックスを表示することを含むことを特徴とする
請求項１７に記載の送信端。
【発明の詳細な説明】
【技術分野】
【０００１】
本発明は通信分野のダウンリンク制御情報検出技術に関し、特にダウンリンク制御情報の送信と検出方法、並びに送信端と受信端に関する。
【背景技術】
【０００２】
長期発展型（ＬＴＥ、Ｌｏｎｇ  Ｔｅｒｍ  Ｅｖｏｌｕｔｉｏｎ）システムにおいて物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）が定義される。ＰＤＣＣＨはダウンリンク制御情報（ＤＣＩ：Ｄｏｗｎｌｉｎｋ  Ｃｏｎｔｒｏｌ  Ｉｎｆｏｒｍａｔｉｏｎ）をベアリングすることに用いられ、ＰＤＣＣＨに転送される物理リソースは制御チャネルエレメント（ＣＣＥ：Ｃｏｎｔｒｏｌ  Ｃｈａｎｎｅｌ  Ｅｌｅｍｅｎｔ）を単位にして、一つのＣＣＥのサイズが９個のリソースエレメントグループ（ＲＥＧ：Ｒｅｓｏｕｒｃｅ  Ｅｌｅｍｅｎｔ  Ｇｒｏｕｐ）、即ち３６個のリソースエレメント（Ｒｅｓｏｕｒｃｅ  Ｅｌｅｍｅｎｔ）であって、一つのＰＤＣＣＨは１、２、４又は、８個のＣＣＥを占用する。１、２、４、８個のＣＣＥを占用するこの四種類のＰＤＣＣＨに対して、階層ツリーの集約（Ａｇｇｒｅｇａｔｉｏｎ）を採用して、即ち、１個のＣＣＥを占用するＰＤＣＣＨは任意のＣＣＥ位置から開始でき、２個のＣＣＥを占用するＰＤＣＣＨは偶数ＣＣＥ位置から開始でき、４個のＣＣＥを占用するＰＤＣＣＨは４の整数倍のＣＣＥ位置から開始でき、８個のＣＣＥを占用するＰＤＣＣＨは８の整数倍のＣＣＥ位置から開始できる。ＰＤＣＣＨスケジューリングの物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）に対応する物理アップリンク制御チャネル（ＰＵＣＣＨ：Ｐｈｙｓｉｃａｌ  Ｕｐｌｉｎｋ  Ｃｏｎｔｒｏｌ  Ｃｈａｎｎｅｌ）リソースが前記ＰＤＣＣＨに対応するＣＣＥ位置に従って決定される。
【０００３】
各集約レベル（Ａｇｇｒｅｇａｔｉｏｎ  ｌｅｖｅｌ）Ｌに対して、Ｌ∈｛１，２，４，８｝であって、一つの探索空間（Ｓｅａｒｃｈ  Ｓｐａｃｅ）に対応し、共有（ｃｏｍｍｏｎ）探索空間とユーザー装置（ＵＥ：Ｕｓｅｒ  Ｅｑｕｉｐｍｅｎｔ）専有（ＵＥ−Ｓｐｅｃｉｆｉｃ）探索空間を含む。
【０００４】
ｋ番目のサブフレームにおいて、ＰＤＣＣＨをベアリングする制御域は、ワングループの番号が０からＮＣＣＥ，ｋ−１のＮＣＣＥ，ｋ個のＣＣＥにより構成される。ＵＥは非不連続受信（ｎｏｎ−ＤＲＸ：ｎｏｎ−Ｄｉｓｃｏｎｔｉｎｕｏｕｓ  Ｒｅｃｅｐｔｉｏｎ）サブフレームごとにワングループの候補のＰＤＣＣＨを検出して制御情報を取得すべきであって、検出というのは、すべての検出待ちのＤＣＩフォーマット（ＤＣＩ  ｆｏｒｍａｔ）に従ってグループ内のＰＤＣＣＨに対してデコードを行うことである。サブフレームｋにおける集約レベルＬ∈｛１，２，４，８｝の探索空間Ｓｋ（Ｌ）がワングループの候補ＰＤＣＣＨ（ＰＤＣＣＨ  ｃａｎｄｉｄａｔｅ）により定義され、探索空間Ｓｋ（Ｌ）における候補ＰＤＣＣＨ（ＰＤＣＣＨ  ｃａｎｄｉｄａｔｅ）ｍに対応するＣＣＥが以下の式により定義される：
L・{(Yk+m) mod └NCCE,k/L┘}+i
ここで、ｉ＝０，．．．，Ｌ−１であって、ＹｋがＵＥ専有探索空間の初期候補位置であって、ＮＣＣＥ，ｋはＫ番目のサブフレームにおいてＰＤＣＣＨをベアリングするＣＣＥの個数であって、ｍ＝０，．．．，Ｍ（Ｌ）−１であって、Ｍ（Ｌ）が探索空間Ｓｋ（Ｌ）における検出待ちの候補ＰＤＣＣＨ（ＰＤＣＣＨ  ｃａｎｄｉｄａｔｅ）の個数であって、この探索空間は連続的なＣＣＥより構成され、
共有探索空間（ｃｏｍｍｏｎ  ｓｅａｒｃｈ  ｓｐａｃｅ）に対して、Ｙｋ＝０、Ｌは４又は８の値を取って、
ＵＥ専有探索空間（ＵＥ−ｓｐｅｃｉｆｉｃ  ｓｅａｒｃｈ  ｓｐａｃｅ）に対して、Ｌは１、２、４又は、８の値を取って、Ｙｋ＝（Ａ・Ｙｋ−１）  ｍｏｄ  Ｄであって、ここで、Ｙ−１＝ｎＲＮＴＩ≠０、Ａ＝３９８２７、Ｄ＝６５５３７、ｋ＝└ｎｓ/２┘であって、└  ┘は切捨てを表示して、ｎｓは一つの無線フレームにおけるスロット番号を表示して、ｎＲＮＴＩは対応する無線ネットワーク一時識別子（ＲＮＴＩ：Ｒａｄｉｏ  Ｎｅｔｗｏｒｋ  Ｔｅｍｐｏｒａｒｙ  Ｉｄｅｎｔｉｆｉｅｒ）を表示する。
【０００５】
高度長期発展型（ＬＴＥ−Ａｄｖａｎｃｅｄ）システムは、幾つかの異なる周波数段に分布される連続コンポーネントキャリア（Ｃｏｍｐｏｎｅｎｔ  Ｃａｒｒｉｅｒ）はキャリア集合（Ｃａｒｒｉｅｒ  Ａｇｇｒｅｇａｔｉｏｎ）技術を採用し集合して、ＬＴＥ−Ａｄｖａｎｃｅｄで利用できる１００ＭＨｚ帯域を形成し、ここで、一つのコンポーネントキャリアは一つのサービスセル（ｓｅｒｖｉｎｇ  ｃｅｌｌ）に見えてもいい。キャリア集合のシーンにおける、クロスキャリアスケジューリング（Ｃｒｏｓｓ  Ｃａｒｒｉｅｒ  Ｓｃｈｅｄｕｌｉｎｇ）の方式を採用でき、一つのキャリアで複数のコンポーネントキャリアに対してスケジューリングし、即ち、あるコンポーネントキャリアで他のコンポーネントキャリアのＰＤＣＣＨを検出できる。それで、ダウンリンク制御情報フォーマット（ＤＣＩ  ｆｏｒｍａｔ）にキャリアインジケータフィールド（ＣＩＦ：Ｃａｒｒｉｅｒ  Ｉｎｄｉｃａｔｏｒ  Ｆｉｅｌｄ）を追加する必要があって、検出されたＰＤＣＣＨがどのコンポーネントキャリアのＰＤＣＣＨであることを決定する。
【０００６】
クロスキャリアスケジューリングの時に、ＵＥ専有探索空間が
L{(Yk+m′) mod └NCCE,k/L┘}+i
であって、ここで、ｍ′＝ｍ＋Ｍ（Ｌ）・ｎＣＩであって、ｎＣＩはキャリアインジケータフィールドにおける対応値であって、コンポーネントキャリアインデックスとも呼ばれる。
【０００７】
異種ネットワークで、異なるタイプの基地局の間でより強い干渉があって、例えば、マクロ基地局（Ｍａｃｒｏ  ｅＮｏｄｅＢ）がピコ基地局（Ｐｉｃｏ）に対する干渉、及び自宅基地局（Ｈｏｍｅ  ｅＮｏｄｅＢ）がマクロ基地局（Ｍａｃｒｏ  ｅＮｏｄｅＢ）に対する干渉があるので、ＬＴＥ  Ｒ１１がユーザー専有パイロット搬送波に基づく複数アンテナ転送方法により前記干渉問題を解決することを提出し、そのほかに、ＰＤＣＣＨをＰＤＳＣＨ区域にマッピングすることにより、ＰＤＳＣＨ多重に類似する周波数分割複信方式を採用して、セル間干渉の周波数領域整合を実現できる。この種類の強化ＰＤＣＣＨがｅＰＤＣＣＨ（ｅｎｈａｎｃｅ  ＰＤＣＣＨ）と呼ばれる。
【０００８】
現在、ｅＰＤＣＣＨマッピング方法は主に連続マッピングと離散マッピングの二種類があって、基地局はＫ個のリソースブロックペア集合を配置してｅＰＤＣＣＨ転送に用いられて、一つのリソースブロックペア集合はＮ個のリソースブロックペアを含み、ここで、Ｋは１又は２であって、Ｎの値は２、４又は、８であり、一つのリソースブロックペアは１６個の強化リソースユニットグループ（ｅＲＥＧ：ｅｎｈｅｎｃｅｄ  Ｒｅｓｏｕｒｃｅ  Ｅｌｅｍｅｎｔ  Ｇｒｏｕｐ）を含み、番号は０から１５までである。一つのリソースブロックペアは２個のｅＣＣＥ（強化ＣＣＥ）又は、４個のｅＣＣＥに区画でき、１個のリソースブロックペアが２個のｅＣＣＥに区画される時、ｅＣＣＥに対応するｅＲＥＧが｛０，２，４，６，８，１０，１２，１４｝又は、｛１，３，５，７，９，１１，１３，１５｝であって、１個のリソースブロックペアが４個のｅＣＣＥに区画される時、ｅＣＣＥに対応するｅＲＥＧが｛０，４，８，１２｝、｛１，５，９，１３｝、｛２，６，１０，１４｝又は、｛３，７，１１，１５｝である。連続マッピングのｅＰＤＣＣＨに対応するｅＣＣＥ（即ち、Ｌ−ｅＣＣＥである）は一つのリソースブロックペア内のｅＲＥＧより構成されて、離散マッピングのＰＤＣＣＨに対応するｅＣＣＥ（即ち、Ｄ−ｅＣＣＥである）は複数のリソースブロックペアのｅＲＥＧより構成されて、一つのリソースブロックペアに利用されるアンテナポートは｛１０７，１０８，１０９，１１０｝のうちの一つ又は複数を含み、図１に示すように、図１は従来の技術におけるｅＰＤＣＣＨの構造模式図であって、ここで、Ｒはセル専有参考信号（ＣＲＳ：Ｃｅｌｌ−ｓｐｅｃｉｆｉｃ  Ｒｅｆｅｒｅｎｃｅ  Ｓｉｇｎａｌｓ）を表示する。
【０００９】
ｅＰＤＣＣＨのＵＥ専有探索空間が離散的なｅＣＣＥグループにより構成されて、毎個のｅＣＣＥグループは連続的なｅＣＣＥに対応するが、それの離散間隔は現在でまだ決定されなくて、ｅＰＤＣＣＨとＰＤＣＣＨの構造が異なるので、探索空間生成方式も異なって、そのため、クロスキャリアスケジューリング時の探索空間生成方式は改めて決定する必要があって、ｅＰＤＣＣＨがクロスキャリアスケジューリングシーンにおける応用を適応する。しかし、従来の技術は前記解決策を提供しなくて、ｅＰＤＣＣＨの検出に影響を与える。
【００１０】
そのほかに、ｅＰＤＣＣＨスケジューリングのＰＤＳＣＨに対応するＰＵＣＣＨリソースが、前記ｅＰＤＣＣＨに対応するｅＣＣＥ位置とＡＲＯ（Ａｃｋ／Ｎａｃｋ  Ｒｅｓｏｕｒｃｅ  Ｏｆｆｓｅｔ、確認情報／非確認情報のリソースオフセット量）に従って決定され、時分割複信（ＴＤＤ、Ｔｉｍｅ  Ｄｉｖｉｓｉｏｎ  Ｄｕｐｌｅｘｉｎｇ）におけるＡＲＯの値については、現在、まだ決定されない実情である。
【発明の概要】
【００１１】
これに鑑み、本発明の実施例はダウンリンク制御情報の送信と検出方法、並びに送信端と受信端を提供して、少なくともｅＰＤＣＣＨの検出問題を解決することにある。
【００１２】
本発明の実施例はダウンリンク制御情報の検出方法を提供して、この方法は、
プリセット間隔に従ってダウンリンク制御情報をベアリングする強化された物理ダウンリンク制御チャネル（ｅＰＤＣＣＨ）のユーザー端末（ＵＥ）専有探索空間を決定し、ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定されることと、
前記ＵＥ専有探索空間に対応する物理リソースで、前記ダウンリンク制御情報を検出することと、を含む。
【００１３】
本発明の実施例はダウンリンク制御情報の送信方法をさらに提供して、この方法は、
ダウンリンク制御情報をベアリングする強化された物理ダウンリンク制御チャネルｅＰＤＣＣＨのユーザー端末ＵＥ専有探索空間がプリセット間隔に従って生成されることと、
前記ＵＥ専有探索空間に対応する物理リソースでＵＥへ前記ダウンリンク制御情報を送信することと、を含み、
ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定される。
【００１４】
本発明の実施例は、受信端をさらに提供して、探索空間決定モジュールと情報検出モジュールを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、
前記情報検出モジュールは、前記探索空間に対応する物理リソースで前記ダウンリンク制御情報を検出するように構成される。
【００１５】
本発明の実施例は、送信端をさらに提供して、探索空間決定モジュールと情報送信モジュールを含み、
前記探索空間決定モジュールは、プリセット間隔に従ってダウンリンク制御情報をベアリングする強化された物理ダウンリンク制御チャネル（ｅＰＤＣＣＨ）のユーザー端末（ＵＥ）専有探索空間を決定するように構成され、ここで、前記プリセット間隔が、対応するリソース集内における対応する集約レベルでの一つのコンポーネントキャリアの候補位置個数に従って決定され、又は、前記プリセット間隔が、対応するリソース集内における対応する集約レベルでの一つのコンポーネントキャリアの候補位置個数、及びスケジュールされたコンポーネントキャリア数量に従って決定され、又は、前記プリセット間隔が、対応するリソース集内における対応する集約レベルでの一つのコンポーネントキャリアの候補位置個数、及び配置されているコンポーネントキャリア数量に従って決定され、
前記情報送信モジュールは、前記ｅＰＤＣＣＨのＵＥ専有探索空間に対応する物理リソースで前記ＵＥに前記ダウンリンク制御情報を送信するように構成される。
【００１６】
本発明の実施例に提供されるダウンリンク制御情報の送信と検出方法、並びに送信端と受信端は、クロスキャリアスケジューリングシーンにおけるｅＰＤＣＣＨのＵＥ専有探索空間はどのように決定される問題を解決し、ｅＰＤＣＣＨの検出に有益であり、目標コンポーネントキャリアでスケジュールされた各コンポーネントキャリアの候補位置の間のオーバーラップを削減して、スケジュールされた各コンポーネントキャリアの候補位置のスケジュール利益取得を保証して、ｅＰＤＣＣＨのスケジュール呼損率を削減できる。
【図面の簡単な説明】
【００１７】
【図１】従来の技術に係るｅＰＤＣＣＨの構造模式図である。
【図２】本発明の実施例のダウンリンク制御情報の送信方法のプロセス模式図である。
【図３】本発明の実施例のダウンリンク制御情報検出方法のプロセス模式図である。
【図４】本発明の実施例の送信端の構造模式図である。
【図５】本発明の実施例の受信端の構造模式図である。
【発明を実施するための形態】
【００１８】
以下、添付の図面と具体的な実施例を参照して本発明の技術的解決手段に対して詳細に説明する。
【００１９】
本発明の実施例に提供されるダウンリンク制御情報の送信方法は、それの実行主体が基地局でいい、図２に示すように、主に、以下のステップを含む。
【００２０】
ステップ２０１において、ダウンリンク制御情報をベアリングするｅＰＤＣＣＨのＵＥ専有探索空間がプリセット間隔に従って生成される。
【００２１】
ステップ２０２において、前記ＵＥ専有探索空間に対応する物理リソースでＵＥに前記ダウンリンク制御情報を送信する。
【００２２】
ここで、前記プリセット間隔が、対応するリソース集内における対応する集約レベルでの、一つのコンポーネントキャリアの候補位置個数に従って決定され、又は、前記プリセット間隔が、対応するリソース集内における対応する集約レベルでの、一つのコンポーネントキャリアの候補位置個数、及びスケジュールされたコンポーネントキャリア数量に従って決定され、又は、前記プリセット間隔が、対応するリソース集内における対応する集約レベルでの、一つのコンポーネントキャリアの候補位置個数、及び配置されるコンポーネントキャリア数量に従って決定される。
【００２３】
好ましいのは、前記プリセット間隔が、対応するリソース集内における対応する集約レベルでの、一つのコンポーネントキャリアの候補位置個数に従って決定される時、前記プリセット間隔が
└NeCCE/(L×Mset(L))┘又は
└NeCCE/(L×(Mset(L)+X))┘又は
┌Mset(L)/2┐又は
└Mset(L)/2┘+1
であって、ここで、Ｘ＝（Ｍｓｅｔ（Ｌ）＋１）  ｍｏｄ  ２であって、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）における検出待ちの候補位置個数、即ち、一つのコンポーネントキャリアの対応するリソース集内における対応する集約レベルでの候補位置個数を表示する。
【００２４】
好ましいのは、前記プリセット間隔が、対応するリソース集内における対応する集約レベルでの、一つのコンポーネントキャリアの候補位置個数、及びスケジュールされたコンポーネントキャリア数量に従って決定される時、又は、前記プリセット間隔が、対応するリソース集内における対応する集約レベルでの、一つのコンポーネントキャリアの候補位置個数、及び配置されているコンポーネントキャリア数量に従って決定される時に、前記プリセット間隔が
└NeCCE/(L×Mset(L)×N)┘又は
└NeCCE/(L×(Mset(L)+X)×N)┘
であって、ここで、Ｘ＝（Ｍｓｅｔ（Ｌ）＋１）  ｍｏｄ  ２であって、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数を表示して、即ち、一つのコンポーネントキャリアが対応するリソース集内における対応する集約レベルでの候補位置個数を表示して、Ｎはスケジュールされたコンポーネントキャリア数量又は配置されるコンポーネントキャリア数量を表示する。
【００２５】
好ましいのは、上記の基礎の上で、プリセット間隔がコンポーネントキャリアインデックス及び／又は、候補集インデックスに従ってさらに決定される。
【００２６】
候補集インデックスに従って決定される時に、前記プリセット間隔が
└(m×NeCCE)/(L×Mset(L))┘又は
└(m×NeCCE)/(L×(Mset(L)+X))┘又は
└(m×NeCCE)/(L×Mset(L)×N)┘又は
└(m×NeCCE)/(L×(Mset(L)+X)×N)┘
であって、ここで、Ｘ＝（Ｍｓｅｔ（Ｌ）＋１）  ｍｏｄ  ２、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｍは候補集インデックスを表示して、Ｎはスケジュールされたコンポーネントキャリア数量又は配置されるコンポーネントキャリア数量を表示する。
【００２７】
コンポーネントキャリアインデックスに従って決定される時に、前記プリセット間隔が
└(NeCCE×nCI)/(L×Mset(L)×N)┘又は
└(NeCCE×nCI)/(L×(Mset(L)+X)×N)┘
であって、Ｘ＝（Ｍｓｅｔ（Ｌ）＋１）  ｍｏｄ  ２であって、ここで、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｎＣＩはコンポーネントキャリアインデックスを表示して、Ｎはスケジュールされたコンポーネントキャリア数量又は配置されるコンポーネントキャリア数量を表示する。
【００２８】
コンポーネントキャリアインデックスと候補集インデックスに従って決定される時に、前記プリセット間隔が
└((nCI+m×NCCNum)×NeCCE)/(L×(Mset(L)+X))┘又は
└((nCI+m×NCCNum)×NeCCE)/(L×Mset(L)×N)┘又は
└((nCI×Mset(L)+m)×NeCCE)/(L×(Mset(L)+X))┘又は
└((m+Mset(L)×nCI)×NeCCE)/(L×Mset(L)×N)┘
であって、ここで、Ｘ＝（Ｍｓｅｔ（Ｌ）＋１）  ｍｏｄ  ２であって、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｍは候補集インデックスを表示して、ｎＣＩはコンポーネントキャリアインデックスを表示して、ＮＣＣＮｕｍは目標コンポーネントキャリアでスケジュールされたコンポーネントキャリア数量又は配置されるコンポーネントキャリア数量を表示する。
【００２９】
好ましいのは、前記プリセット間隔は以下条件のうちの少なくとも一つを満たす。
【００３０】
Ａ、クロスキャリアスケジューリングシーンにおける目標コンポーネントキャリアの前記プリセット間隔が、非クロスキャリアスケジューリングシーンにおける前記目標コンポーネントキャリアのプリセット間隔と同じである。
【００３１】
Ｂ、クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じである。
【００３２】
Ｃ、クロスキャリアスケジューリングシーンにおける前記目標コンポーネントキャリアでスケジュールされたコンポーネントキャリアのプリセット間隔が、Ｎ個のコンポーネントキャリアの対応するリソース集内における対応する集約レベルでの候補位置個数に従って決定され、非クロスキャリアスケジューリングシーンにおける前記目標コンポーネントキャリアのプリセット間隔が、対応するリソース集内における対応する集約レベルでの、一つのコンポーネントキャリアの候補位置個数に従って決定され、ここで、Ｎが自然数である。
【００３３】
好ましいのは、前記目標コンポーネントキャリアでスケジュールされた各コンポーネントキャリアの候補集は同じ候補集インデックスを採用し、
又は、前記目標コンポーネントキャリアでスケジュールされた各コンポーネントキャリアの候補集がコンポーネントキャリアインデックスに従ってクロスマッピングし、
又は、前記目標コンポーネントキャリアでスケジュールされた各コンポーネントキャリアの候補集がコンポーネントキャリアインデックス順番に従ってマッピングする。
【００３４】
前記プリセット間隔と条件に基づいて、好ましいのは、クロスキャリアスケジューリングの時に、ＵＥ専有探索空間が生成される方式の一つは、
L{(Yk+nCI+└(m×NeCCE)/(L×Mset(L))┘) mod └NeCCE/L┘}+i
であって、
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｉ＝０，．．．，Ｌ−１であって、ｍは候補集インデックスを表示して、ｍ＝０，．．．，Ｍ（Ｌ）−１である。
【００３５】
この方式は、目標コンポーネントキャリアでスケジュールされた各コンポーネントキャリアの候補集が同じ候補集インデックスを採用する効果を達成でき、この方式は、クロスキャリアスケジューリングシーンにおける目標コンポーネントキャリアのプリセット間隔と非クロスキャリアスケジューリングシーンにおける前記目標コンポーネントキャリアのプリセット間隔と同じ効果をさらに達成でき、この方式は、クロスキャリアスケジューリングシーンにおける目標コンポーネントキャリアのプリセット間隔とクロスキャリアスケジューリングシーンにおける前記目標コンポーネントキャリアでスケジュールされたコンポーネントキャリアのプリセット間隔と同じ効果を達成できる。
【００３６】
好ましいのは、クロスキャリアスケジューリングの時に、ＵＥ専有探索空間が生成される方式のもう一つは、
L{(Yk+└((nCI×Mset(L)+m)×NeCCE)/(L×Mset(L)×NCCNum)┘) mod └NeCCE/L┘}+i
であって、
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、ｍは候補集インデックスを表示して、ｍ＝０，．．．，Ｍｓｅｔ（Ｌ）−１である。
【００３７】
この方式は、目標コンポーネントキャリアでスケジュールされた各コンポーネントキャリアの候補集がコンポーネントキャリアインデックス順番に従ってマッピングする効果を達成でき、この方式は、クロスキャリアスケジューリングシーンにおける前記目標コンポーネントキャリアでスケジュールされたコンポーネントキャリアのプリセット間隔が、Ｎ個のコンポーネントキャリアの対応するリソース集内における対応する集約レベルでの候補位置個数に従って決定される効果をさらに達成できる。
【００３８】
好ましいのは、クロスキャリアスケジューリングの時に、ＵＥ専有探索空間が生成される方式のもう一つは、
L{(Yk+└((nCI+m×NCCNum)×NeCCE)/(L×Mset(L)×NCCNum)┘) mod └NeCCE/L┘}+i
であって、
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、ｍは候補集インデックスを表示して、ｍ＝０，．．．，Ｍｓｅｔ（Ｌ）−１である。
【００３９】
この方式は、目標コンポーネントキャリアでスケジュールされた各コンポーネントキャリアの候補集がコンポーネントキャリアインデックスに従ってクロスマッピングする効果を達成できる。
【００４０】
好ましいのは、クロスキャリアスケジューリングの時に、ＵＥ専有探索空間が生成される方式のもう一つは、
{(Yk+└((nCI×Mset(L)+m+G)×NeCCE)/(L×Z×NCCNum)┘) mod └NeCCE/L┘}+i
であって、
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、Ｘ＝（Ｍｓｅｔ（Ｌ）＋１）  ｍｏｄ  ２であって、Ｚ＝Ｍｓｅｔ（Ｌ）＋Ｘであって、Ｇは０又はＸであって、ｍは候補集インデックスを表示して、ｍ＝０，．．．，Ｍｓｅｔ（Ｌ）−１である。
【００４１】
この方式は、目標コンポーネントキャリアでスケジュールされた各コンポーネントキャリアの候補集がコンポーネントキャリアインデックス順番に従ってマッピングする効果を達成でき、この方式は、クロスキャリアスケジューリングシーンにおける前記目標コンポーネントキャリアでスケジュールされたコンポーネントキャリアのプリセット間隔が、対応するリソース集内における対応する集約レベルでの、Ｎ個のコンポーネントキャリアの候補位置個数に従って決定される効果をさらに達成できる。
【００４２】
好ましいのは、クロスキャリアスケジューリングの時に、ＵＥ専有探索空間が生成される方式のもう一つは、
{(Yk+nCI+└((m+G)×NeCCE)/(L×Z)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、Ｇは０又はＸである。
【００４３】
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｉ＝０，．．．，Ｌ−１であって、ｍは候補集インデックスを表示して、ｍ＝０，．．．，Ｍｓｅｔ（Ｌ）−１である。
【００４４】
この方式は、目標コンポーネントキャリアでスケジュールされた各コンポーネントキャリアの候補集が同じ候補集インデックスを採用する効果を達成でき、この方式は、クロスキャリアスケジューリングシーンにおける目標コンポーネントキャリアのプリセット間隔と非クロスキャリアスケジューリングシーンにおける前記目標コンポーネントキャリアのプリセット間隔と同じ効果をさらに達成でき、この方式は、クロスキャリアスケジューリングシーンにおける目標コンポーネントキャリアのプリセット間隔とクロスキャリアスケジューリングシーンにおける前記目標コンポーネントキャリアでスケジュールされたコンポーネントキャリアのプリセット間隔と同じ効果を達成できる。
【００４５】
好ましいのは、クロスキャリアスケジューリングの時に、ＵＥ専有探索空間が生成される方式のもう一つは、
{NeCCERB×(└A/NeCCERB┘+nCI)+L×(Yk+m+nCI) mod └NeCCERB/L┘}+i
A=L{(Yk+└(m×NeCCE)/(L×Mset(L))┘) mod └NeCCE/L┘}
である。
【００４６】
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、ｍは候補集インデックスを表示して、ｍ＝０，．．．，Ｍｓｅｔ（Ｌ）−１である。
【００４７】
この方式は、クロスキャリアスケジューリングシーンにおける前記目標コンポーネントキャリアでスケジュールされたコンポーネントキャリアのプリセット間隔が、１個のコンポーネントキャリアの対応するリソース集内における対応する集約レベルでの候補位置個数に従って決定される効果を達成でき、前記目標コンポーネントキャリアでスケジュールされた各コンポーネントキャリアの候補位置が隣接のリソースブロック内にある。
【００４８】
好ましいのは、クロスキャリアスケジューリングの時に、ＵＥ専有探索空間が生成される方式のもう一つは、クロスキャリアスケジューリング時の前記ＵＥ専有探索空間生成方式と非クロスキャリアスケジューリング時の前記ＵＥ専有探索空間生成方式が同じであって、且つ、前記目標コンポーネントキャリアでスケジュールされたすべてのコンポーネントキャリアのＵＥ専有探索空間に対応するリソース集が異なるシグナルにより配置される。
【００４９】
前記プリセット間隔と条件に基づいて、好ましいのは、非クロスキャリアスケジューリングの時に、ＵＥ専有探索空間が生成される方式の一つは、
L{(Yk+└(m×NeCCE)/(L×Mset(L))┘) mod └NeCCE/L┘}+i
であって、
ここで、ＹｋはＵＥ専有探索空間の初期候補位置を表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ｉ＝０，．．．，Ｌ−１であって、ｍは候補集インデックスを表示して、ｍ＝０，．．．，Ｍｓｅｔ（Ｌ）−１である。
【００５０】
好ましいのは、非クロスキャリアスケジューリングの時に、ＵＥ専有探索空間が生成される方式のもう一つは、
{(Yk+└((m+X)×NeCCE)/(L×Z)┘) mod └NeCCE/L┘}+i
であって
ここで、ＹｋはＵＥ専有探索空間の初期候補位置を表示して、ＮｅＣＣＥは一つのリソース集におけるｅＣＣＥ総数を表示して、Ｌは集約レベルを表示して、ｉ＝０，．．．，Ｌ−１であって、ｍは候補集インデックスを表示して、ｍ＝０，．．．，Ｍｓｅｔ（Ｌ）−１であって、Ｘ＝（Ｍｓｅｔ（Ｌ）＋１）  ｍｏｄ  ２であって、Ｚ＝Ｍｓｅｔ（Ｌ）＋Ｘであって、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示する。
【００５１】
好ましいのは、非クロスキャリアスケジューリングの時に、ＵＥ専有探索空間が生成される方式のもう一つは、
{NeCCERB×└A/NeCCERB┘+L×(Yk+m) mod └NeCCERB/L┘}+i
A=L{(Yk+└(m×NeCCE)/(L×Mset(L))┘) mod └NeCCE/L┘}
である。
【００５２】
ここで、ＹｋはＵＥ専有探索空間の初期候補位置を表示して、ＮｅＣＣＥは一つのリソース集におけるｅＣＣＥ総数を表示して、Ｌは集約レベルを表示して、ｉ＝０，．．．，Ｌ−１であって、ｍは候補集インデックスを表示して、ｍ＝０，．．．，Ｍｓｅｔ（Ｌ）−１であって、Ｍｓｅｔ（Ｌ）はサブフレームｋでのリソース集ｓｅｔに対応する集約レベルＬの探索空間Ｓｋ（Ｌ）での検出待ちの候補位置個数、即ち、一つのコンポーネントキャリアの対応するリソース集内における対応する集約レベルでの候補位置個数を表示して、ＮｅＣＣＥＲＢは一つのリソースブロックに含まれるｅＣＣＥ数量を表示する。
【００５３】
以上の非クロスキャリアスケジューリングの時に、ＵＥ専有探索空間が生成される方式は、非クロスキャリアスケジューリングシーンにおける目標コンポーネントキャリアのプリセット間隔が対応するリソース集内における対応する集約レベルでの、１個のコンポーネントキャリアの候補位置個数に従って決定される効果を達成できる。
【００５４】
好ましいのは、コンポーネントキャリアの同じリソース集インデックスに対応するＵＥ専有探索空間の初期位置が同じ配置を採用して、それの具体実施の形態一は、各コンポーネントキャリアに対応するＵＥ専有探索空間の初期位置は以下の配置を採用する。
【００５５】
サブフレームｋでの初期位置は、Ｙｋ＝（Ａ・Ｙｋ−１）  ｍｏｄ  Ｄであって、
ここで、Ｙ−１＝ｎＲＮＴＩ≠０、Ａ＝３９８２７、３９８２９、３９８２５、３９８２３、３９８２１、３９８３１又は３９８３７、Ｄ＝６５５３７、ｋ＝└ｎｓ/２┘であって、└  ┘は切捨てを表示して、ｎｓは一つの無線フレームでのスロット番号を表示して、ｎＲＮＴＩは対応する無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｆｉｅｒ）を表示して、
ここで、異なるリソース集は異なるＡ値に対応して、例えば、リソース集０はＡ＝３９８２７に対応して、リソース集１はＡ＝３９８２９に対応して、又は、リソース集０はＡ＝３９８２７に対応して、リソース集１はＡ＝３９８２３に対応する。
【００５６】
具体実施の形態二は、各コンポーネントキャリアに対応するＵＥ専有探索空間の初期位置は以下の配置を採用する。
【００５７】
サブフレームｋでの初期位置は、Ｙｋ＝（Ａ・Ｙｋ−１）  ｍｏｄ  Ｄであって、
ここで、Ｙ−１＝ｎＲＮＴＩ＋ｓ×２１６であって、Ａ＝３９８２７、Ｄ＝６５５３７、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、ｓはリソース集インデックスを表示する。
【００５８】
具体実施の形態三は、各コンポーネントキャリアに対応するＵＥ専有探索空間の初期位置は以下の配置を採用する。
【００５９】
サブフレームｋでのリソース集ｓの初期位置は、ＹＫＳ＝ＹＫ＋Ｓ又はＹＫＳ＝ＹＫ×２＋Ｓ又はＹＫＳ＝ＹＫ＋Ｂであって、Ｂは１又はＭｓｅｔ（Ｌ）であって、Ｙｋ＝（Ａ・Ｙｋ−１）  ｍｏｄ  Ｄであって、
ここで、Ｙ−１＝ｎＲＮＴＩ≠０であって、Ａ＝３９８２７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示する。
【００６０】
好ましいのは、コンポーネントキャリアの同じリソース集インデックスに対応するＵＥ専有探索空間の初期位置はそれぞれの配置を採用して、それの具体実施の形態一は、
サブフレームｋでの初期位置は、Ｙｋ＝（Ａ・Ｙｋ−１）  ｍｏｄ  Ｄであって、
ここで、Ｙ−１＝ｎＲＮＴＩ≠０であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、異なるコンポーネントキャリアは異なるＡ値に対応する。
【００６１】
具体実施の形態二は、
サブフレームｋでの初期位置は、Ｙｋ＝（Ａ・Ｙｋ−１）  ｍｏｄ  Ｄであって、
ここで、Ｙ−１＝ｎＲＮＴＩ＋ｎＣＩ×２１７＋ｓ×２１６であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、ｎＣＩはコンポーネントキャリアインデックスを表示して、ｓはリソース集インデックスを表示する。
【００６２】
具体実施の形態三は、
サブフレームｋでの初期位置は、Ｙｋ′＝Ｙｋ＋ｎＣＩ、Ｙｋ＝（Ａ・Ｙｋ−１）  ｍｏｄ  Ｄであって、
ここで、Ｙ−１＝ｎＲＮＴＩ≠０であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示する。
【００６３】
以下で幾つかの本発明の好ましい実施例を挙げてさらに説明する。
【００６４】
本発明の実施例一において、非クロスキャリアスケジューリングの時に、ＵＥ専有探索空間は下記のように決定されて、
L{(Yk+└(m×NeCCE)/(L×Mset(L))┘) mod └NeCCE/L┘}+i
であって、
クロスキャリアスケジューリングの時、ＵＥ専有探索空間は下記のように決定されて、
L{(Yk+nCI+└(m×NeCCE)/(L×Mset(L))┘) mod └NeCCE/L┘}+i
であって、
サブフレームｋでの初期位置は、Ｙｋ＝（Ａ・Ｙｋ−１）  ｍｏｄ  Ｄであって、
ここで、ＹｋはＵＥ専有探索空間の初期候補位置を表示して、ＮｅＣＣＥは一つのリソース集における強化された制御チャネルエレメントｅＣＣＥ総数を表示して、Ｌは集約レベルを表示して、Ｍｓｅｔ（Ｌ）は対応するリソース集内における対応する集約レベルでの、一つのコンポーネントキャリアの候補位置個数を表示して、ｉ＝０，．．．，Ｌ−１であって、ｍは候補集インデックスを表示して、ｎＣＩはコンポーネントキャリアインデックスを表示して、Ｙ−１＝ｎＲＮＴＩ≠０であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、異なるリソース集は異なるＡ値に対応して、集約レベルは１、２、４、８、１６、３２でよく、候補位置個数が１、２、３、４、５、６、７、８、９、１０でよく、一つのリソース集におけるｅＣＣＥ総数が４、８、１６、３２、６４でよい。
【００６５】
本発明の実施例二において、非クロスキャリアスケジューリングの時、ＵＥ専有探索空間は決定下記のように決定されて、
{(Yk+└((m+X)×NeCCE)/(L×Z)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、
クロスキャリアスケジューリングの時、ＵＥ専有探索空間は下記のように決定されて、
{(Yk+└((nCI×Mset(L)+m+G)×NeCCE)/(L×Z×NCCNum)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、Ｇが０又はＸであって、
サブフレームｋでのリソース集ｓの初期位置は、ＹＫＳ＝ＹＫ＋Ｓ又はＹＫＳ＝ＹＫ×２＋Ｓ又は、ＹＫＳ＝ＹＫ＋Ｂであって、Ｂは１又はＭｓｅｔ（Ｌ）であって、Ｙｋ＝（Ａ・Ｙｋ−１）  ｍｏｄ  Ｄであって、
ここで、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）はサブフレームｋでのリソース集ｓｅｔに対応する集約レベルＬの探索空間Ｓｋ（Ｌ）での検出待ちの候補位置個数、即ち、対応するリソース集内における対応する集約レベルでの、一つのコンポーネントキャリアの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、ｍは候補集インデックスを表示して、ｍ＝０，．．．，Ｍｓｅｔ（Ｌ）−１であって、Ｙ−１＝ｎＲＮＴＩ≠０であって、Ａ＝３９８２７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、集約レベルは１、２、４、８、１６、３２でよく、候補位置個数は１、２、３、４、５、６、７、８、９、１０でよく、一つのリソース集におけるｅＣＣＥ総数が４、８、１６、３２、６４でよい。
【００６６】
本発明の実施例三において、非クロスキャリアスケジューリングの時、ＵＥ専有探索空間は下記のように決定されて、
{NeCCERB×└A/NeCCERB┘+L×(Yk+m) mod └NeCCERB/L┘}+i
A=L{(Yk+└(m×NeCCE)/(L×Mset(L))┘) mod └NeCCE/L┘}
であって、
クロスキャリアスケジューリングの時、ＵＥ専有探索空間は下記のように決定されて、
{NeCCERB×(└A/NeCCERB┘+nCI)+L×(Yk+m+nCI) mod └NeCCERB/L┘}+i
A=L{(Yk+└(m×NeCCE)/(L×Mset(L))┘) mod └NeCCE/L┘}
であって、
サブフレームｋでのリソース集ｓの初期位置は、Ｙｋ＝（Ａ・Ｙｋ−１）  ｍｏｄ  Ｄであって、
ここで、Ｙ−１＝ｎＲＮＴＩ＋ｎＣＩ×２１７＋ｓ×２１６≠０であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは対応するＲＮＴＩを表示して、ｎＣＩはコンポーネントキャリアインデックスを表示して、ｓはリソース集インデックスを表示して、ＹｋはＵＥ専有探索空間の初期候補位置を表示して、ｎＣＩはコンポーネントキャリアインデックスを表示して、ＮｅＣＣＥは一つのリソース集におけるｅＣＣＥ総数を表示して、Ｌは集約レベルを表示して、Ｍｓｅｔ（Ｌ）は表示サブフレームｋでのリソース集ｓｅｔに対応する集約レベルＬの探索空間Ｓｋ（Ｌ）での検出待ちの候補位置個数、即ち、対応するリソース集内における対応する集約レベルでの、一つのコンポーネントキャリアの候補位置個数を表示して、ＮＣＣＮｕｍは目標コンポーネントキャリアでスケジュールされたコンポーネントキャリア数量又は配置されるコンポーネントキャリア数量を表示して、ｉ＝０，．．．，Ｌ−１であって、ｍは候補集インデックスを表示して、ｍ＝０，．．．，Ｍｓｅｔ（Ｌ）−１であって、集約レベルは１、２、４、８、１６、３２でよく、候補位置個数は１、２、３、４、５、６、７、８、９、１０でよく、一つのリソース集でのｅＣＣＥ総数が４、８、１６、３２、６４でよい。
【００６７】
本発明の実施例四において、ＴＤＤシステムにおいて、プリセット情報に従って候補位置でｅＰＤＣＣＨでスケジュールされたＰＤＳＣＨに対応するＰＵＣＣＨリソースを転送される時に関するＡＲＯ範囲を決定して、前記プリセット情報は、サブフレームインデックス、前記ＰＵＣＣＨに所属するアップリンクサブフレームに対応するダウンリンクサブフレーム数量Ｈの少なくとも一つを含む。
【００６８】
具体実施の形態一は、前記プリセット情報はサブフレームインデックスを含み、具体的に、
前記ｅＰＤＣＣＨの所属するダウンリンクサブフレームインデックスｋに従って前記ＰＵＣＣＨの所属するアップリンクサブフレームに対応するダウンリンクサブフレームウィンドウでの位置ｈでＡＲＯ範囲を決定して、ｈは０から採番する。
【００６９】
前記ＡＲＯ範囲はｎ個の集合に対応して、ｎは４であって、具体的な決定方式は、
ｈは０であると、ＡＲＯが｛２，−１，０，−２｝であって、
ｈは１であると、ＡＲＯが｛２，０，−１，−ＮｅＣＣＥ（ｋ−１，ｊ）｝又は｛２，０，−２，−ＮｅＣＣＥ（ｋ−１，ｊ）｝であって、
ｈは２であると、ＡＲＯが｛２，０，−ＮｅＣＣＥ（ｋ−２，ｊ）−ＮｅＣＣＥ（ｋ−１，ｊ），−ＮｅＣＣＥ（ｋ−１，ｊ）｝であって、
ｈは３であると、ＡＲＯが｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、前記ＡＲＯ範囲はｎ個の集合に対応して、ｎが３であって、具体的な決定方式は、
Ｈ個のサブフレームにおける最初のサブプレームに対応するＡＲＯ範囲は、｛−２，２，−１，０｝であって、
Ｈ個のサブフレームにおける最後一つのサブフレームに対応するＡＲＯ範囲は、｛２，０，−ＮｅＣＣＥ（ｋ−１，ｊ），−ＮｅＣＣＥ（ｋ−２，ｊ）−ＮｅＣＣＥ（ｋ−１，ｊ）｝であって、
Ｈ個のサブフレームにおける他のサブフレームに対応するＡＲＯ範囲は、｛２，０，−ＮｅＣＣＥ（ｋ−１，ｊ），ＮｅＣＣＥ（ｋ，ｊ）｝であること、
又は、前記ＡＲＯ範囲はｎ個の集合に対応して、ｎは３であって、具体的な決定方式は、
Ｈ個のサブフレームにおける最初のサブプレームに対応するＡＲＯ範囲は、｛−２，２，−１，０｝であって、
Ｈ個のサブフレームにおける二番目のサブフレームに対応するＡＲＯ範囲は、｛２，０，−ＮｅＣＣＥ（ｋ−１，ｊ），ＮｅＣＣＥ（ｋ，ｊ）｝であって、
Ｈ個のサブフレームにおける他のサブフレームに対応するＡＲＯ範囲は、｛２，０，−ＮｅＣＣＥ（ｋ−１，ｊ），−ＮｅＣＣＥ（ｋ−２，ｊ）−ＮｅＣＣＥ（ｋ−１，ｊ）｝であって、
又は、前記ＡＲＯ範囲はｎ個の集合に対応して、ｎは２であって、具体的な決定方式は、
Ｈ個のサブフレームにおける最初のサブプレームに対応するＡＲＯ範囲は、｛−２，２，−１，０｝であって、
Ｈ個のサブフレームにおける他のサブフレームに対応するＡＲＯ範囲は、｛２，０，−ＮｅＣＣＥ（ｋ−１，ｊ），ＮｅＣＣＥ（ｋ，ｊ）｝であること、
又は、前記ＡＲＯ範囲はｎ個の集合に対応して、ｎは２であって、具体的な決定方式は、
Ｈ個のサブフレームにおける最初のサブプレームに対応するＡＲＯ範囲は、｛−２，２，−１，０｝であって、
Ｈ個のサブフレームにおける他のサブフレームに対応するＡＲＯ範囲は、｛２，０，−ＮｅＣＣＥ（ｋ−１，ｊ），−ＮｅＣＣＥ（ｋ−１，ｊ）−ＮｅＣＣＥ（ｋ，ｊ）｝である。
【００７０】
具体実施の形態二は、前記プリセット情報は、サブフレームインデックス、及びＰＵＣＣＨの所属するアップリンクサブフレームに対応するダウンリンクサブフレーム数量Ｈを含み、
前記ｅＰＤＣＣＨの所属するダウンリンクサブフレームインデックスｋに従って前記ＰＵＣＣＨの所属するアップリンクサブフレームに対応するダウンリンクサブフレームウィンドウでの位置ｈでＡＲＯ範囲を決定して、ｈは０から採番する。
【００７１】
Ｈは１である時、前記ＡＲＯ範囲は｛−２，２，−１，０｝であって、
Ｈは２である時、ｈは１であると、前記ＡＲＯ範囲は｛−２，２，−１，０｝であって、ｈは２であると、前記ＡＲＯ範囲は｛２，０，−１，−ＮｅＣＣＥ（ｋ−１，ｊ）｝又は｛２，０，−２，−ＮｅＣＣＥ（ｋ−１，ｊ）｝であって、
Ｈは３である時、ｈは１であると、前記ＡＲＯ範囲は｛−２，２，−１，０｝であって、ｈは２であると、前記ＡＲＯ範囲は｛２，０，−ＮｅＣＣＥ（ｋ−１，ｊ），ＮｅＣＣＥ（ｋ，ｊ）｝又は｛２，０，−２，−ＮｅＣＣＥ（ｋ−１，ｊ）｝又は｛２，０，−１，−ＮｅＣＣＥ（ｋ−１，ｊ）｝、ｈは３であると、前記ＡＲＯ範囲は｛２，０，−ＮｅＣＣＥ（ｋ−２，ｊ）−ＮｅＣＣＥ（ｋ−１，ｊ），−ＮｅＣＣＥ（ｋ−１，ｊ）｝であって、
Ｈは４である時、ｈは１であると、前記ＡＲＯ範囲は｛−２，２，−１，０｝であって、ｈは２であると、前記ＡＲＯ範囲が｛２，０，−ＮｅＣＣＥ（ｋ−１，ｊ），ＮｅＣＣＥ（ｋ，ｊ）｝又は｛２，０，−２，−ＮｅＣＣＥ（ｋ−１，ｊ）｝又は｛２，０，−１，−ＮｅＣＣＥ（ｋ−１，ｊ）｝であって、ｈは３であると、前記ＡＲＯ範囲は｛２，０，−ＮｅＣＣＥ（ｋ−２，ｊ）−ＮｅＣＣＥ（ｋ−１，ｊ），−ＮｅＣＣＥ（ｋ−１，ｊ）｝であって、ｈは４であると、前記ＡＲＯ範囲は｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝又は｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−１，ｊ）｝である。
【００７２】
具体実施の形態三は、前記プリセット情報はＰＵＣＣＨに所属するアップリンクサブフレームに対応するダウンリンクサブフレーム数量Ｈを含み、具体的に、
Ｈは１である時、ＡＲＯ範囲は、｛２，２，−１，０｝であって、
Ｈは他の値である時、ＡＲＯ範囲は｛２，０，ＮｅＣＣＥ（ｊ）＊┌（Ｄ）/２┐，ＮｅＣＣＥ（ｊ）＊Ｄ｝であって、ここで、ＤはＨ又はＨ−１である。
【００７３】
具体実施の形態四は、前記プリセット情報は、サブフレームインデックス、及びＰＵＣＣＨの所属するアップリンクサブフレームに対応するダウンリンクサブフレーム数量Ｈを含み、
前記プリセット情報はサブフレームインデックスを含み、具体的に、
前記ｅＰＤＣＣＨの所属するダウンリンクサブフレームインデックスｋに従って前記ＰＵＣＣＨの所属するアップリンクサブフレームに対応するダウンリンクサブフレームウィンドウでの位置ｈでＡＲＯ範囲を決定して、ｈは０から採番して、具体的な決定方式は、
ＡＲＯ範囲は｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であって、ここで、Ｔ１、Ｔ２は実数であって、Ｔ３、Ｔ４は整数であって、Ｄ１はΣk=h-T5h-1NeCCE(k,j)又は第一事前設定値であって、Ｄ２はΣk=h-T6h-1NeCCE(k,j)又は第二事前設定値であって、Ｔ５、Ｔ６は整数である。
【００７４】
好ましいのは、Ｔ１とＴ２の対応する値はＴ１＝−１／３、Ｔ２＝−１であり、又は、Ｔ１＝−１／２、Ｔ２＝−１、又は、Ｔ１＝−２／３、Ｔ２＝−１、又は、Ｔ１＝−１／３、Ｔ２＝−２／３、又は、Ｔ１＝−１／３、Ｔ２＝−１／２、又は、Ｔ１＝−１／２、Ｔ２＝−２／３、又は、Ｔ１＝−１／２、Ｔ２＝−３／４、又は、Ｔ１＝−１／３、Ｔ２＝−３／４、又は、Ｔ１＝−１、Ｔ２＝−１、又は、Ｔ１＝−１、Ｔ２＝−２、Ｔ３とＴ４の対応する値はＴ３＝０、Ｔ４＝０、又は、Ｔ３＝−１、Ｔ４＝−２、又は、Ｔ３＝−２、Ｔ４＝−１であり、Ｔ５とＴ６の対応する値はＴ５＝ｈ、Ｔ６＝ｈ、又は、Ｔ５＝ｈ−１、Ｔ６＝ｈ、又は、Ｔ５＝１、Ｔ６＝２、又は、Ｔ５＝０、Ｔ６＝１、又は、Ｔ５＝１、Ｔ６＝１である。
【００７５】
第一事前設定値はｗ１個のリソース集に対応するｅＣＣＥ数量であって、第二事前設定値はｗ２個のリソース集に対応するｅＣＣＥ数量であって、ｗ１とｗ２の値は同じでもいいし、異なってもいい、具体的に、値は、０、１、２、３、４、９であり、ここで、前記リソース集に対応するｅＣＣＥ数量は当該配置下前記ＰＵＣＣＨの所属するアップリンクサブフレームに対応するダウンリンクサブフレームでのリソース集ｊに対応する最大ｅＣＣＥ数量又は対応する最小ｅＣＣＥ数量又は第一個のダウンリンクサブフレームリソース集ｊに対応するｅＣＣＥ数量であって、前記リソース集ｊは前記ＰＵＣＣＨに対応するｅＰＤＣＣＨが所属するリソース集である。
【００７６】
又は、第一事前設定値と第二事前設定値はそれぞれに一つの固定値であってもよく、例えば、０、４、８、１６、３２等であって、
Ｈは正の整数であって、好ましい値の範囲は１、２、３、４、９である。
【００７７】
なお、具体実施の形態四の前記ＡＯＲ値における切捨て演算└  ┘は切り上げ演算┌  ┐に切り替えてもいい。
【００７８】
上述公式の具体例は以下のとおりである。
【００７９】
ＡＲＯは｛０，２，−└Σk=0h-1NeCCE(k,j)/２┘，−Σk=0h-1NeCCE(k,j)｝であって、又はＡＲＯは｛０，２，−└Σk=0h-1NeCCE(k,j)×２/３┘，−└Σk=0h-1NeCCE(k,j)/３┘｝であって、又はＡＲＯは｛０，２，−└Σk=0h-1NeCCE(k,j)×２/３┘，−└Σk=0h-1NeCCE(k,j)/２┘｝であって、又はＡＲＯは｛０，２，−└Σk=0h-1NeCCE(k,j)/２┘−１，−Σk=0h-1NeCCE(k,j)−２｝であって、又はＡＲＯは｛０，２，−└Σk=0h-1NeCCE(k,j)/３┘−１，−└Σk=0h-1NeCCE(k,j)×２/３┘−２｝であって、又はＡＲＯは｛０，２，−└Σk=0h-1NeCCE(k,j)/２┘−１，└Σk=0h-1NeCCE(k,j)×２/３┘−２｝であって、
又は、ｈは０であると、ＡＲＯは｛２，−１，０，−２｝であって、
ｈは他の値時、ＡＲＯは｛０，２，−┌Σk=0h-1NeCCE(k,j)×１/２┐，−Σk=0h-1NeCCE(k,j)｝であって、又はＡＲＯは｛０，２，−┌Σk=0h-1NeCCE(k,j)×１/３┐，−┌Σk=0h-1NeCCE(k,j)×２/３┐｝であって、又はＡＲＯは｛０，２，−┌Σk=0h-1NeCCE(k,j)×１/２┐，−┌Σk=0h-1NeCCE(k,j)×２/３┐｝であって、又はＡＲＯは｛０，２，−┌Σk=0h-1NeCCE(k,j)×１/２┐，−Σk=0h-1NeCCE(k,j)−２｝であって、又はＡＲＯは｛０，２，−┌Σk=0h-1NeCCE(k,j)×１/３┐−１，−┌Σk=0h-1NeCCE(k,j)×２/３┐−２｝であって、又はＡＲＯは｛０，２，−┌Σk=0h-1NeCCE(k,j)×１/２┐−１，−┌Σk=0h-1NeCCE(k,j)×３/４┐−２｝である。
【００８０】
前記本発明の実施例四において、ｋはサブフレームインデックスを表示して、ｊは識別リソース集インデックスを表示して、ＮｅＣＣＥ（ｋ，ｊ）はサブフレームｋのリソース集ｊに対応するｅＣＣＥ数量を表示する。
【００８１】
本発明の実施例はさらにダウンリンク制御情報の検出方法を提供して、それの実行主体はＵＥでよく、図３に示すように、主に、以下のステップを含む。
【００８２】
ステップ３０１において、プリセット間隔に従ってダウンリンク制御情報をベアリングするｅＰＤＣＣＨのＵＥ専有探索空間を決定し、ここで、前記プリセット間隔が、対応するリソース集内における対応する集約レベルでの、一つのコンポーネントキャリアの候補位置個数に従って決定されて、又は、前記プリセット間隔が、対応するリソース集内における対応する集約レベルでの、一つのコンポーネントキャリアの候補位置個数、及びスケジュールされたコンポーネントキャリア数量に従って決定され、又は、前記プリセット間隔が、対応するリソース集内における対応する集約レベルでの、一つのコンポーネントキャリアの候補位置個数、及び配置されているコンポーネントキャリア数量に従って決定される。
【００８３】
ステップ３０２において、ＵＥ専有探索空間に対応する物理リソースで前記ダウンリンク制御情報を検出する。
【００８４】
好ましいのは、さらに、コンポーネントキャリアインデックス及び／又は、候補集インデックスに従って前記プリセット間隔を決定できる。
【００８５】
好ましいのは、前記プリセット間隔は、以下の条件のうちの少なくとも一つを満たす：
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じであること；
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じであること；
クロスキャリアスケジューリングシーンにおける前記目標コンポーネントキャリアでスケジュールされたコンポーネントキャリアの前記プリセット間隔が、Ｎ個のコンポーネントキャリアの対応するリソース集内における対応する集約レベルでの候補位置個数に従って決定され、非クロスキャリアスケジューリングシーンにおける前記目標コンポーネントキャリアの前記プリセット間隔が、対応するリソース集内における対応する集約レベルでの、一つのコンポーネントキャリアの候補位置個数に従って決定され、ここで、Ｎは自然数であること。
【００８６】
好ましいのは、前記目標コンポーネントキャリアでスケジュールされた各コンポーネントキャリアの候補集は同じ候補集インデックスを採用し、
又は、前記目標コンポーネントキャリアでスケジュールされた各コンポーネントキャリアの候補集がコンポーネントキャリアインデックスに従ってクロスマッピングし、
又は、前記目標コンポーネントキャリアでスケジュールされた各コンポーネントキャリアの候補集がコンポーネントキャリアインデックス順番に従ってマッピングする。
【００８７】
好ましいのは、クロスキャリアスケジューリングの時に、前記ＵＥ専有探索空間が以下方式を採用して生成され、
L{(Yk+nCI+└(m×NeCCE)/(L×Mset(L))┘) mod └NeCCE/L┘}+i又は
L{(Yk+└((nCI×Mset(L)+m)×NeCCE)/(L×Mset(L)×NCCNum)┘) mod └NeCCE/L┘}+i又は
L{(Yk+└((nCI+m×NCCNum)×NeCCE)/(L×Mset(L)×NCCNum)┘) mod └NeCCE/L┘}+i又は
{(Yk+└((nCI×Mset(L)+m+G)×NeCCE)/(L×Z×NCCNum)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、Ｇは０又はＸであって、
又は、
{(Yk+nCI+└((m+G)×NeCCE)/(L×Z)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、Ｇは０又はＸであって、
又は、
{NeCCERB×(└A/NeCCERB/┘+nCI)+L×(Yk+m+nCI) mod └NeCCERB/L┘}+i
A=L{(Yk+└(m×NeCCE)/(L×Mset(L))┘) mod └NeCCE/L┘}
であって、
又は、クロスキャリアスケジューリング時に前記ＵＥ専有探索空間の生成方式が非クロスキャリアスケジューリング時に前記ＵＥ専有探索空間生成方式と同じであって、且つ、前記目標コンポーネントキャリアでスケジュールされたすべてのコンポーネントキャリアのＵＥ専有探索空間に対応するリソース集は異なるシグナルにより配置される。
【００８８】
好ましいのは、非クロスキャリアスケジューリングの時に、前記ＵＥ専有探索空間が以下方式を採用して生成され、
L{(Yk+└(m×NeCCE)/(L×Mset(L))┘) mod └NeCCE/L┘}+i又は
{(Yk+└((m+X)×NeCCE)/(L×Z)┘) mod └NeCCE/L┘}+i
であって、Ｘ＝（Ｍｓｅｔ（Ｌ）＋１）  ｍｏｄ  ２であって、Ｚ＝Ｍｓｅｔ（Ｌ）＋Ｘであって、
又は、
{NeCCERB×└A/NeCCERB/┘+L×(Yk+m) mod └NeCCERB/L┘}+i
A=L{(Yk+└(m×NeCCE)/(L×Mset(L))┘) mod └NeCCE/L┘}
である。
【００８９】
好ましいのは、この方法は、ＵＥに配置されているすべてのコンポーネントキャリアの同じリソース集インデックスに対応するＵＥ専有探索空間の初期位置が同じ配置又はそれぞれの配置を採用することをさらに含む。
【００９０】
前記コンポーネントキャリアの同じリソース集インデックスに対応するＵＥ専有探索空間の初期位置はそれぞれの配置を採用することは、
サブフレームｋでの初期位置は、Ｙｋ＝（Ａ・Ｙｋ−１）  ｍｏｄ  Ｄであって、
Ｙ−１＝ｎＲＮＴＩ≠０あって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは前記ＵＥに対応する無線ネットワーク一時識別子ＲＮＴＩを表示して、ここで、異なるコンポーネントキャリアは異なるＡ値に対応すること、
又は、サブフレームｋでの初期位置は、Ｙｋ＝（Ａ・Ｙｋ−１）  ｍｏｄ  Ｄであって、
Ｙ−１＝ｎＲＮＴＩ＋ｎＣＩ×２１７＋ｓ×２１６≠０、又は、Ｙ−１＝ｎＲＮＴＩ＋ｎＣＩ×２１６＋ｓ×２１９≠０、又は、Ｙ−１＝ｎＲＮＴＩ＋ｎＣＩ×２１６≠０あって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは前記ＵＥに対応するＲＮＴＩを表示して、ｎＣＩはコンポーネントキャリアインデックスを表示して、ｓはリソース集インデックスを表示して、
又は、サブフレームｋでの初期位置は、Ｙｋ′＝Ｙｋ＋ｎＣＩ、又は、Ｙｋ′＝Ｙｋ＋ｎＣＩ×２＋ｓであって、ここで、Ｙｋ＝（Ａ・Ｙｋ−１）  ｍｏｄ  Ｄであって、
Ｙ−１＝ｎＲＮＴＩ≠０であって、Ａ＝３９８２７、３９８２９、３９８２５、３９８２３、３９８２１、３９８３１又は３９８３７であって、Ｄ＝６５５３７であって、ｋ＝└ｎｓ/２┘であって、└  ┘は切捨てを表示して、ｎｓは一つの無線フレームでのスロット番号を表示して、ｎＲＮＴＩは前記ＵＥに対応する無線ネットワーク一時識別子ＲＮＴＩを表示して、ｎＣＩはコンポーネントキャリアインデックスを表示して、ｓはリソース集インデックスを表示する。
【００９１】
好ましいのは、この方法は、ＴＤＤシステムにおいて、プリセット情報に従って前記ｅＰＤＣＣＨスケジュールされたＰＤＳＣＨに対応するＰＵＣＣＨリソース時のＡＲＯ範囲を決定し、前記プリセット情報は、
サブフレームインデックス、及び前記ＰＵＣＣＨの所属するアップリンクサブフレームに対応するダウンリンクサブフレーム数量のうちの少なくとも一つを含む。
【００９２】
前記ＡＲＯ範囲はｎ個の集合に対応して、ｎは２、３、４、５、６、７、８又は９である。
【００９３】
好ましいのは、この方法は、前記ｅＰＤＣＣＨの所属するダウンリンクサブフレームインデックスｋに従って前記ＰＵＣＣＨの所属するアップリンクサブフレームに対応するダウンリンクサブフレームウィンドウでの位置ｈに従ってＡＲＯ値を決定することをさらに含み、ｈは０から採番して、具体的に、
ｈは０であると、ＡＲＯが｛２，−１，０，−２｝であって、
ｈは１であると、ＡＲＯが｛２，０，−１，−ＮｅＣＣＥ（ｋ−１，ｊ）｝又は｛２，０，−２，−ＮｅＣＣＥ（ｋ−１，ｊ）｝であって、
ｈは２であると、ＡＲＯは｛２，０，−ＮｅＣＣＥ（ｋ−２，ｊ）−ＮｅＣＣＥ（ｋ−１，ｊ），−ＮｅＣＣＥ（ｋ−１，ｊ）｝であって、
ｈは３であると、ＡＲＯは｛２，０，−ＮｅＣＣＥ（ｋ−３，ｊ）−ＮｅＣＣＥ（ｋ−２，ｊ）−ＮｅＣＣＥ（ｋ−１，ｊ），−ＮｅＣＣＥ（ｋ−２，ｊ）−ＮｅＣＣＥ（ｋ−１，ｊ）｝であること、
又は、
最初のサブプレームに対応するＡＲＯは｛−２，２，−１，０｝であって、
最後の一つのサブフレームに対応するＡＲＯは｛２，０，−ＮｅＣＣＥ（ｋ−１，ｊ），−ＮｅＣＣＥ（ｋ−２，ｊ）−ＮｅＣＣＥ（ｋ−１，ｊ）｝であって、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であって、
他のサブフレームに対応するＡＲＯは｛２，０，−ＮｅＣＣＥ（ｋ−１，ｊ），ＮｅＣＣＥ（ｋ，ｊ）｝であること、
又は、
最初のサブプレームに対応するＡＲＯは｛−２，２，−１，０｝であって、
他のサブフレームに対応するＡＲＯは｛２，０，−ＮｅＣＣＥ（ｋ−１，ｊ），−ＮｅＣＣＥ（ｋ−１，ｊ）−ＮｅＣＣＥ（ｋ，ｊ）｝であること、
又は、
ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であって、ここで、Ｔ１、Ｔ２は実数であって、Ｔ３、Ｔ４は整数であって、Ｄ１はΣk=h-T5h-1NeCCE(k,j)又は第一事前設定値であって、Ｄ２はΣk=h-T6h-1NeCCE(k,j)又は第二事前設定値であって、Ｔ５、Ｔ６は整数であること、
又は、
ｈは０であると、ＡＲＯは｛２，−１，０，−２｝であること、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であって、ここで、Ｔ１、Ｔ２は実数であって、Ｔ３、Ｔ４は整数であって、Ｄ１はΣk=h-T5h-1NeCCE(k,j)又は第一事前設定値であって、Ｄ２はΣk=h-T6h-1NeCCE(k,j)又は第二事前設定値であって、Ｔ５、Ｔ６は整数であること、
又は、
ｈは０であると、ＡＲＯは｛２，−１，０，−２｝であること、
ｈは他の値である時、ＡＲＯは｛０，２，└Ｄ１×Ｔ１┘＋Ｔ３，└Ｄ２×Ｔ２┘＋Ｔ４｝又は｛０，２，┌Ｄ１×Ｔ１┐＋Ｔ３，┌Ｄ２×Ｔ２┐＋Ｔ４｝であって、ここで、Ｔ１は−１であって、Ｔ２は−１であって、Ｔ３は−１であって、Ｔ４は−２であって、Ｄ１はΣk=h-T5h-1NeCCE(k,j)であって、Ｄ２はΣk=h-T6h-1NeCCE(k,j)であって、Ｔ５、Ｔ６は整数であって、
ここで、ｋはサブフレームインデックスを表示して、ｊはリソース集インデックスを表示することを含む。
【００９４】
本発明の実施例のダウンリンク制御情報の送信方法に対応して、本発明の他の実施例は、送信端をさらに提供して、この送信端は基地局側に位置して、図４に示すように、この送信端は、主に、探索空間決定モジュールと情報送信モジュールを含む。
【００９５】
探索空間決定モジュールは、プリセット間隔に従ってダウンリンク制御情報をベアリングするｅＰＤＣＣＨのＵＥ専有探索空間を決定するように構成されて、前記プリセット間隔が、対応するリソース集内における対応する集約レベルでの、一つのコンポーネントキャリアの候補位置個数に従って決定され、又は、前記プリセット間隔が、対応するリソース集内における対応する集約レベルでの、一つのコンポーネントキャリアの候補位置個数、及びスケジュールされたコンポーネントキャリア数量に従って決定され、又は、前記プリセット間隔が、対応するリソース集内における対応する集約レベルでの、一つのコンポーネントキャリアの候補位置個数、及び配置されているコンポーネントキャリア数量に従って決定される。
【００９６】
情報送信モジュールは、前記ｅＰＤＣＣＨのＵＥ専有探索空間に対応する物理リソースで前記ＵＥに前記ダウンリンク制御情報を送信するように構成される。
【００９７】
好ましいのは、探索空間決定モジュールは、コンポーネントキャリアインデックス及び／又は、候補集インデックスに従って前記プリセット間隔をさらに決定するように構成される。
【００９８】
前記プリセット間隔は、以下の条件のうちの少なくとも一つを満たす：
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じであること；
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じであること；
クロスキャリアスケジューリングシーンにおける前記目標コンポーネントキャリアでスケジュールされたコンポーネントキャリアの前記プリセット間隔が、対応するリソース集内における対応する集約レベルでの、Ｎ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの、一つのコンポーネントキャリアの候補位置個数に従って決定され、ここでＮは自然数であること。
【００９９】
前記目標コンポーネントキャリアでスケジュールされた各コンポーネントキャリアの候補集は、同じ候補集インデックスを採用し、
又は、前記目標コンポーネントキャリアでスケジュールされた各コンポーネントキャリアの候補集がコンポーネントキャリアインデックスに従ってクロスマッピングし、
又は、前記目標コンポーネントキャリアでスケジュールされた各コンポーネントキャリアの候補集がコンポーネントキャリアインデックス順番に従ってマッピングする。
【０１００】
好ましいのは、送信端は、ＡＲＯ決定モジュールをさらに含み、ＡＲＯ決定モジュールは、ＴＤＤシステムにおいて、プリセット情報に従って前記ｅＰＤＣＣＨスケジュールされたＰＤＳＣＨに対応するＰＵＣＣＨリソース時のＡＲＯ範囲を決定するように構成され、前記プリセット情報は、サブフレームインデックス、及び前記ＰＵＣＣＨの所属するアップリンクサブフレームに対応するダウンリンクサブフレーム数量のうちの少なくとも一つを含む。
【０１０１】
本発明の実施例のダウンリンク制御情報の検出方法に対応して、本発明の他の実施例は、受信端をさらに提供して、この受信端はＵＥ側に位置して、図５に示すように、この受信端は、主に、探索空間決定モジュールと情報検出モジュールを含む。
【０１０２】
探索空間決定モジュールは、プリセット間隔に従ってダウンリンク制御情報をベアリングするｅＰＤＣＣＨのＵＥ専有探索空間を決定するように構成され、ここで、前記プリセット間隔が、対応するリソース集内における対応する集約レベルでの、一つのコンポーネントキャリアの候補位置個数に従って決定され、又は、前記プリセット間隔が、対応するリソース集内における対応する集約レベルでの、一つのコンポーネントキャリアの候補位置個数、及びスケジュールされたコンポーネントキャリア数量に従って決定され、又は、前記プリセット間隔が、対応するリソース集内における対応する集約レベルでの、一つのコンポーネントキャリアの候補位置個数、及び配置されているコンポーネントキャリア数量に従って決定される。
【０１０３】
情報検出モジュールは、前記探索空間に対応する物理リソースで前記ダウンリンク制御情報を検出するように構成される。
【０１０４】
好ましいのは、探索空間決定モジュールは、コンポーネントキャリアインデックス及び／又は、候補集インデックスに従って前記プリセット間隔をさらに決定するように構成される。
【０１０５】
前記プリセット間隔は、以下の条件のうちの少なくとも一つを満たす：
クロスキャリアスケジューリングシーンにおける目標コンポーネントキャリアの前記プリセット間隔が、非クロスキャリアスケジューリングシーンにおける前記目標コンポーネントキャリアの前記プリセット間隔と同じであること；
クロスキャリアスケジューリングシーンにおける前記目標コンポーネントキャリアのプリセット間隔が、クロスキャリアスケジューリングシーンにおける前記目標コンポーネントキャリアでスケジュールされたコンポーネントキャリアのプリセット間隔と同じであること；
クロスキャリアスケジューリングシーンにおける前記目標コンポーネントキャリアでスケジュールされたコンポーネントキャリアの前記プリセット間隔が、対応するリソース集内における対応する集約レベルでの、Ｎ個のコンポーネントキャリアの候補位置個数に従って決定され、非クロスキャリアスケジューリングシーンにおける前記目標コンポーネントキャリアの前記プリセット間隔が、対応するリソース集内における対応する集約レベルでの、一つのコンポーネントキャリアの候補位置個数に従って決定され、ここでＮは自然数であること。
【０１０６】
前記目標コンポーネントキャリアでスケジュールされた各コンポーネントキャリアの候補集は同じ候補集インデックスを採用し、
又は、前記目標コンポーネントキャリアでスケジュールされた各コンポーネントキャリアの候補集がコンポーネントキャリアインデックスに従ってクロスマッピングし、
又は、前記目標コンポーネントキャリアでスケジュールされた各コンポーネントキャリアの候補集がコンポーネントキャリアインデックス順番に従ってマッピングする。
【０１０７】
好ましいのは、探索空間決定モジュールは、ＵＥに配置されているすべてのコンポーネントキャリアの同じリソース集インデックスに対応するＵＥ専有探索空間の初期位置が同じ配置又はそれぞれの配置を採用するように構成される。
【０１０８】
好ましいのは、前記受信端はＡＲＯ決定モジュールをさらに含み、ＡＲＯ決定モジュールは、ＴＤＤシステムにおいて、プリセット情報に従って前記ｅＰＤＣＣＨスケジュールされたＰＤＳＣＨに対応するＰＵＣＣＨリソース時のＡＲＯ範囲を決定するように構成され、前記プリセット情報は、
サブフレームインデックス、及び前記ＰＵＣＣＨの所属するアップリンクサブフレームに対応するダウンリンクサブフレーム数量の少なくとも一つを含む。
【０１０９】
前記のように、本発明の実施例はクロスキャリアスケジューリングシーンにおけるｅＰＤＣＣＨのＵＥ専有探索空間をどのように決定する問題を解決して、ｅＰＤＣＣＨの検出に有益であり、且つ、本発明の実施例により目標コンポーネントキャリアでスケジュールされた各コンポーネントキャリアの候補位置の間のオーバーラップを削減して、スケジュールされた各コンポーネントキャリアの候補位置のスケジュール利益取得を保証して、ｅＰＤＣＣＨのスケジュール呼損率を低減できる。
【０１１０】
上述実施例における各モジュールはハードウェアの形式を採用して実現してもよく、ソフトウェア機能モジュールの形式を採用して実現してもよく、本発明はいずれもの形式のハードウェアとソフトウェアの結合に制限されない。以上の記述は、本発明の好ましい実施例に過ぎず、本発明の保護範囲を限定することに用いられるものではなく、本技術分野を熟知している当業者が本発明で開示された技術範囲内で、簡単に考えることができる変化又は入れ替えは、本発明の保護範囲内に含まれるべきである。
【図１】
0006030776.tif 000002
【図２】
0006030776.tif 000003
【図３】
0006030776.tif 000004
【図４】
0006030776.tif 000005
【図５】
0006030776.tif 000006